(57)【特許請求の範囲】
【請求項１】
挿入光コネクタが挿入される光コネクタ挿入穴を有するコネクタ嵌合ハウジングと、
前記コネクタ嵌合ハウジングの後部に取り付けられ、内部に内蔵フェルールを収納して前側ハウジングとその後側のストップリングとを嵌合して形成される結合ユニット部とを有し、
前記前側ハウジングは、前記内蔵フェルールおよびそれの内挿される位置決めスリーブが貫通するベース部と、前記ストップリングと嵌合するスリーブ状のプラグフレーム部とを有し、
前記位置決めスリーブは、前記光コネクタ挿入穴に挿入される挿入光コネクタのフェルールを位置決めして前記内蔵フェルールに突き合わせ可能であり、
前記コネクタ嵌合ハウジングは、前記光コネクタ挿入穴が前側に開口するハウジング本体と、前記ハウジング本体に回動可能に連結され、その回動により前記光コネクタ挿入穴を閉止可能とされた蓋部とを備え、
前記前側ハウジングのベース部および前記コネクタ嵌合ハウジングのうちの一方に、周方向全体に亘って延在する溝部を形成し、前記ベース部および前記コネクタ嵌合ハウジングのうちの他方に、周方向全体にわたって延在する突条を形成し、これらの溝部と突条とを互いに係合する係合構造として後方からの防塵性能を高める光コネクタレセプタクル。
【請求項２】
前記嵌合ハウジング本体は、本体基板部と、前記本体基板部との間に前記前側ハウジングの少なくとも一部を収容して前記本体基板部に対して組み合わせられる本体カバー部とを有し、
前記本体基板部に対して前記本体カバー部を組み合わせた際に、それぞれに形成された前記係合構造が周方向に亘って延在するようになる請求項１に記載の光コネクタレセプタクル。
【請求項３】
前記蓋部を回動自在に支持する回動軸の前後方向の位置は、前記ハウジング本体の側板部の前縁部よりも後方寄りである請求項１または２に記載の光コネクタレセプタクル。
【請求項４】
前記本体基板部は、底板部を備え、
前記本体カバー部は、天板部と、前記天板部からそれぞれ前記天板部に対し交差する方向に前記前側ハウジングを挟むように立設される一対の側板部とを備え、
前記本体基板部には、前記底板部の内面に前記周方向に亘って形成された突条と、前記底板部からそれぞれ前記底板部に対し交差する方向に前記前側ハウジングを挟むように延出する一対の延出片とが前記係合構造として形成され、
前記本体カバー部には、前記天板部のみの内面に前記周方向に亘って突条が前記係合構造として形成されている請求項２または３に記載の光コネクタレセプタクル。
【請求項５】
前記コネクタ嵌合ハウジングは、前記蓋部を閉止する方向に付勢する付勢部材を備えている請求項１〜４のうちいずれか１項に記載の光コネクタレセプタクル。
【請求項６】
光コネクタ挿入穴の軸方向に平行となるように開放した状態と閉止した状態とについての前記蓋部の回動角の差が９０°未満である請求項１〜５のうちいずれか１項に記載の光コネクタレセプタクル。
【請求項７】
光コネクタ挿入穴の軸方向に平行となるように開放した状態と閉止した状態とについての前記蓋部の回動角の差が９０°以上である請求項１〜５のうちいずれか１項に記載の光コネクタレセプタクル。
【請求項８】
光伝送体の先端に組み立てられ、
前記光伝送体の先端部が、前記内蔵フェルールに内挿固定されている請求項１〜７のうちいずれか１項に記載の光コネクタレセプタクル。
【請求項９】
光伝送体の先端に組み立てられ、
前記結合ユニット部は、前記内蔵フェルールに内挿固定された内蔵光ファイバの後端部と、前記後端部に突き当てた前記光伝送体の先端部とを把持して、これらの突き合わせ接続状態を維持するクランプ部を有する請求項１〜７のうちいずれか１項に記載の光コネクタレセプタクル。
【請求項１０】
請求項１〜９のうちいずれか１項に記載の光コネクタレセプタクルと、前記光コネクタレセプタクルを収容可能、かつ取付壁の取付け面に設置可能な光コネクタ収容ケースと、を備え、
前記光コネクタレセプタクルが、前記取付け面より奥側から配線された光伝送体の先端に組み立てられ、
前記光コネクタ収容ケースは、前記挿入光コネクタが挿入される開口部を有する光接続用ユニット。
【請求項１１】
請求項１〜９のうちいずれか１項に記載の光コネクタレセプタクルと、前記光コネクタレセプタクルを収容可能、かつ取付壁の取付け面に設置可能な外装体と、を備え、
前記光コネクタレセプタクルが、前記取付け面より奥側から配線された光伝送体の先端に組み立てられ、
前記外装体は、前記挿入光コネクタが挿入される開口部を有する光アウトレット。
【発明の詳細な説明】
【技術分野】
【０００１】
本発明は、光コネクタレセプタクル、前記光コネクタレセプタクルが用いられた光接続用ユニット、および前記光コネクタレセプタクルが用いられた光アウトレットに関する。
【背景技術】
【０００２】
光コネクタとしては、プラグ−アダプタ−プラグ方式を採用して、光ファイバ同士のコネクタ接続に用いられるものが広く提供されている。この光コネクタには、例えばＳＣ形光コネクタ（ＪＩＳ  Ｃ５９７３に制定されるＦ０４形光コネクタ。ＳＣ：Single fiberCoupling optical fiber connector）が採用できる。
この光コネクタでは、光コネクタ（プラグ）を光コネクタ（アダプタ）にその両側からそれぞれ挿入して嵌合し、光コネクタ（アダプタ）内にて互いに突き合わせることで結合できる。また、光コネクタ（アダプタ）に嵌合状態の光コネクタ（プラグ）は、そのハウジングに対する光コネクタ（アダプタ）の係合爪の係合を解除することで、光コネクタ（アダプタ）から抜き去ることができる。
【先行技術文献】
【特許文献】
【０００３】
【特許文献１】特開２００７−１２１８５９号公報
【特許文献２】特開２０１１−１５０１２８号公報
【特許文献３】特開２００８−２２５１３３号公報
【特許文献４】特開２００９−１４９６０号公報
【発明の概要】
【発明が解決しようとする課題】
【０００４】
しかしながら、前記光コネクタは、防塵性能の点で十分とはいえず、防塵性能に優れた光コネクタが要望されていた。また、構造が複雑であるため小型化が難しいという問題もあった。
本発明は、上記事情に鑑みてなされたものであり、防塵性能に優れ、かつ構造が簡略である光コネクタレセプタクル、光接続用ユニットおよび光アウトレットの提供を目的としている。
【課題を解決するための手段】
【０００５】
本発明は、挿入光コネクタが挿入される光コネクタ挿入穴を有するコネクタ嵌合ハウジングと、前記コネクタ嵌合ハウジングの後部に取り付けられ、内部に内蔵フェルールを収納して前側ハウジングとその後側のストップリングとを嵌合して形成される結合ユニット部とを有し、前記前側ハウジングは、前記内蔵フェルールおよびそれの内挿される位置決めスリーブが貫通するベース部と、前記ストップリングと嵌合するスリーブ状のプラグフレーム部とを有し、前記位置決めスリーブは、前記光コネクタ挿入穴に挿入される挿入光コネクタのフェルールを位置決めして前記内蔵フェルールに突き合わせ可能であり、前記コネクタ嵌合ハウジングは、前記光コネクタ挿入穴が前側に開口するハウジング本体と、前記ハウジング本体に回動可能に連結され、その回動により前記光コネクタ挿入穴を閉止可能とされた蓋部とを備え、前記前側ハウジングのベース部および前記コネクタ嵌合ハウジングのうちの一方に、周方向全体に亘って延在する溝部を形成し、前記ベース部および前記コネクタ嵌合ハウジングのうちの他方に、周方向全体にわたって延在する突条を形成し、これらの溝部と突条とを互いに係合する係合構造として後方からの防塵性能を高める光コネクタレセプタクルを提供する。
本発明の光コネクタレセプタクルは、前記嵌合ハウジング本体が、本体基板部と、前記本体基板部との間に前記前側ハウジングの少なくとも一部を収容して前記本体基板部に対して組み合わせられる本体カバー部とを有し、前記本体基板部に対して前記本体カバー部を組み合わせた際に、それぞれに形成された前記係合構造が周方向に亘って延在するようになる構成とすることができる。
本発明の光コネクタレセプタクルは、前記蓋部を回動自在に支持する回動軸の前後方向の位置は、前記ハウジング本体の側板部の前縁部よりも後方寄りとすることができる。
本発明の光コネクタレセプタクルは、前記本体基板部が、底板部を備え、前記本体カバー部が、天板部と、前記天板部からそれぞれ前記天板部に対し交差する方向に前記前側ハウジングを挟むように立設される一対の側板部とを備え、前記本体基板部には、前記底板部の内面に前記周方向に亘って形成された突条と、前記底板部からそれぞれ前記底板部に対し交差する方向に前記前側ハウジングを挟むように延出する一対の延出片とが前記係合構造として形成され、前記本体カバー部には、前記天板部のみの内面に前記周方向に亘って突条が前記係合構造として形成されている構成とすることができる。
前記コネクタ嵌合ハウジングは、前記蓋部を閉止する方向に付勢する付勢部材を備えていてよい。
光コネクタ挿入穴の軸方向に平行となるように開放した状態と閉止した状態とについての前記蓋部の回動角の差は９０°未満とすることができる。
光コネクタ挿入穴の軸方向に平行となるように開放した状態と閉止した状態とについての前記蓋部の回動角の差は９０°以上とすることができる。
本発明は、光伝送体の先端に組み立てられ、前記光伝送体の先端部が、前記内蔵フェルールに内挿固定されている光コネクタレセプタクルを提供する。
本発明は、光伝送体の先端に組み立てられ、前記結合ユニット部が、前記内蔵フェルールに内挿固定された内蔵光ファイバの後端部と、前記後端部に突き当てた前記光伝送体の先端部とを把持して、これらの突き合わせ接続状態を維持するクランプ部を有する光コネクタレセプタクルを提供する。
【０００６】
本発明は、前記光コネクタレセプタクルと、前記光コネクタレセプタクルを収容可能、かつ取付壁の取付け面に設置可能な光コネクタ収容ケースと、を備え、前記光コネクタレセプタクルが、前記取付け面より奥側から配線された光伝送体の先端に組み立てられ、前記光コネクタ収容ケースが、前記挿入光コネクタが挿入される開口部を有する光接続用ユニットを提供する。
本発明は、前記光コネクタレセプタクルと、前記光コネクタレセプタクルを収容可能、かつ取付壁の取付け面に設置可能な外装体と、を備え、前記光コネクタレセプタクルが、前記取付け面より奥側から配線された光伝送体の先端に組み立てられ、前記外装体が、前記挿入光コネクタが挿入される開口部を有する光アウトレットを提供する。
【発明の効果】
【０００７】
本発明によれば、光コネクタ挿入穴を閉止可能な蓋部を備えたコネクタ嵌合ハウジングを採用したので、光コネクタ挿入穴からコネクタ嵌合ハウジング内への塵埃の侵入を防ぐことができる。
結合ユニット部は、挿入光コネクタのフェルールが突き合わせ接続されるフェルールを内蔵しているため、プラグ−アダプタ−プラグ方式の結合方式を採用した光コネクタとは異なり、挿入光コネクタと接続させる光コネクタを嵌合するための構造が必要ないことから、光コネクタレセプタクルの小型化が可能である。
また、結合ユニット部の構造が簡略であるため、部品点数が少ないことから、組み立て作業を容易にするとともに、低コスト化を図ることができる。
【図面の簡単な説明】
【０００８】
【図１】本発明の第１実施形態の光コネクタレセプタクルの構造を示す分解斜視図である。
【図２】図１の光コネクタレセプタクルのコネクタ嵌合ハウジングの蓋部を開放した状態の斜視図である。
【図３】図１の光コネクタレセプタクルのコネクタ嵌合ハウジングの蓋部を閉止した状態の斜視図である。
【図４】（ａ）、（ｂ）は、図１の光コネクタレセプタクルのコネクタ嵌合ハウジングの本体基板部の斜視図である。
【図５】（ａ）〜（ｄ）は、図１の光コネクタレセプタクルのコネクタ嵌合ハウジングの本体基板部を説明する図である。
【図６】（ａ）〜（ｄ）は、図１の光コネクタレセプタクルのコネクタ嵌合ハウジングの本体カバー部を説明する図である。
【図７】（ａ）、（ｂ）は、図１の光コネクタレセプタクルのコネクタ嵌合ハウジングの蓋部を示す斜視図である。
【図８】（ａ）〜（ｃ）は、図１の光コネクタレセプタクルのコネクタ嵌合ハウジングの蓋部を説明する図である。
【図９】図１の光コネクタレセプタクルのコネクタ嵌合ハウジングの蓋部の動作を示す側面図である。
【図１０】（ａ）〜（ｅ）は、図１の光コネクタレセプタクルの前側ハウジングを説明する図である。
【図１１】図１の光コネクタレセプタクルのコネクタ嵌合ハウジングの本体基板部と前側ハウジングとを示す斜視図である。
【図１２】図１の光コネクタレセプタクルの結合ユニット部の構造を説明する分解斜視図である。
【図１３】前図の結合ユニットのフェルール、スプリング、ストップリングの関係を説明する図である。
【図１４】図１の光コネクタレセプタクルのコネクタ嵌合部付近の構造を示す断面図（側断面図）である。
【図１５】図１の光コネクタレセプタクルと、その光コネクタ挿入孔に挿入した挿入光コネクタとの嵌合状態を説明する断面図（平断面図）である。
【図１６】図１の光コネクタレセプタクルと、その光コネクタ挿入孔に挿入した挿入光コネクタとを示す斜視図である。
【図１７】本発明の第２実施形態の光コネクタレセプタクルの構造を示す分解斜視図である。
【図１８】図１７の光コネクタレセプタクルの斜視図である。
【図１９】図１７の光コネクタレセプタクルのクランプ部付きフェルールを示す分解斜視図であり、後側延出片の調心溝及び被覆部収納溝と２つの蓋部材との関係を説明する図である。
【図２０】図１７の光コネクタレセプタクルのクランプ部付きフェルールを示す分解斜視図であり、クランプ部の２つの蓋部材を説明する図である。
【図２１】図１７の光コネクタレセプタクルのクランプ部付きフェルールのクランプ部の半割り構造の把持用素子部と該把持用素子部に割り込ませる介挿片との関係を説明する断面図である。
【図２２】図１７の光コネクタレセプタクルを光ファイバケーブル端末に組み立てる組立方法を説明する斜視図である。
【図２３】図１７の光コネクタレセプタクルを光ファイバケーブル端末に組み立てる際に、光ファイバケーブル端末に引留用固定部材として組み付ける外被把持部材を説明する斜視図である。
【図２４】図１７の光コネクタレセプタクルの挿入補助スライダー及び引き留めカバーと、光ファイバケーブル端末に固定された引留用固定部材との関係を説明する図であって、（ａ）は側断面図、（ｂ）は後側から見た図である。
【図２５】図１７の光コネクタレセプタクルの光コネクタ挿入孔に挿入して嵌合させる挿入光コネクタの一例を示す斜視図である。
【図２６】図１７の光コネクタレセプタクルを収容可能な光コネクタ収容ケースおよびその使用形態を示す説明図である。
【図２７】図１７の光コネクタレセプタクルを収容した光コネクタ収容ケースおよび前記光コネクタレセプタクルに接続された挿入光コネクタを示す斜視図である。
【図２８】図１７の光コネクタレセプタクルを収容した光コネクタ収容ケースの内部構造を示す斜視図である。
【図２９】図２７の光コネクタ収容ケースのカバー部を示す斜視図である。
【図３０】図２７の光コネクタ収容ケースのカバー部を示す斜視図である。
【図３１】本発明の第３実施形態の光コネクタレセプタクルの構造を示す分解斜視図である。
【図３２】図３１の光コネクタレセプタクルのコネクタ嵌合ハウジングと前側ハウジングを示す斜視図である。
【図３３】図３１の光コネクタレセプタクルのコネクタ嵌合ハウジングの要部を示す分解斜視図である。
【図３４】図３１の光コネクタレセプタクルのコネクタ嵌合ハウジングの本体基板部と蓋部を示す側面図である。
【図３５】図３１の光コネクタレセプタクルのコネクタ嵌合ハウジングの光コネクタ挿入孔に挿入光コネクタを挿入する動作を説明する図である。
【図３６】図３１の光コネクタレセプタクルを設けた光コネクタ用アウトレットを示す斜視図である。
【図３７】前図の光コネクタ用アウトレットの内部構造を示す斜視図である。
【図３８】図１７の光コネクタレセプタクルを組み立てる光ファイバケーブルの構造の一例を説明する斜視図である。
【発明を実施するための形態】
【０００９】
以下、本発明の光コネクタレセプタクルの第１実施形態について、図面を参照して説明する。
図１は、本発明の第１実施形態の光コネクタレセプタクル１０（以下、単に光コネクタ１０という）の構造を示す分解斜視図である。図２および図３は光コネクタ１０の斜視図である。
光コネクタ１０は、コネクタ嵌合ハウジング２０と、コネクタ嵌合ハウジング２０の後部に取り付けられた結合ユニット部５０とを有する。
光コネクタ１０は、光ファイバ７（光伝送体）の先端に組み立てられている。光コネクタ１０と光ファイバ７は、コネクタ付き光伝送体を構成する。
以下の説明において、嵌合ハウジング本体２１の軸線方向（軸方向）であって光コネクタ挿入穴１１ａの開口方向（図５（ａ）の左方向）を前方といい、その反対方向を後方という。また、本体基板部２３に沿う方向（詳しくは底板部２５の上面２５ｇに沿う方向）であって、前後方向に対して直交する方向（図５（ａ）の上下方向）を幅方向ということがある。また、前後方向および幅方向に対し直交する方向を上下方向（図５（ａ）の紙面に垂直な方向）ということがある。
【００１０】
図１〜図９に示すように、コネクタ嵌合ハウジング２０は、光コネクタ挿入穴１１ａが前側に開口する角筒状の嵌合ハウジング本体２１と、光コネクタ挿入穴１１ａを開閉可能とされた蓋部２２と、蓋部２２を付勢するバネ３８（付勢部材）と、を備えている。
【００１１】
図４〜図６に示すように、嵌合ハウジング本体２１は、前側ハウジング３０が載置される本体基板部２３と、本体基板部２３に組み合わせられる本体カバー部２４とを有する。嵌合ハウジング本体２１は、前側ハウジング３０の少なくとも一部を包囲する筒状体である。
図４および図５に示すように、本体基板部２３は、概略矩形の底板部２５と、その両側縁に立設された側板部２６と、底板部２５の両側縁に立設された挿入片２７（挿入凸部）と、を備えている。
【００１２】
底板部２５の前縁部２５ａの両端部には、それぞれ軸受用凸部２５ｂが前方に突出して形成されている。軸受用凸部２５ｂには、蓋部２２を回動自在に支持する回動軸３７が挿通する軸受口２５ｃが形成されている。
底板部２５の前縁部２５ａには、軸受用凸部２５ｂ、２５ｂの間に、回動軸３７が嵌合する軸受凹部２５ｄが形成された軸受用凸部２５ｅが前方に突出して形成されている。軸受用凸部２５ｅは、軸受用凸部２５ｂ、２５ｂから離れて形成することができる。図示例では、前縁部２５ａに２つの軸受用凸部２５ｅが幅方向に間隔をおいて形成されている。
底板部２５の下面２５ｆには、前縁部２５ａから後方に向かってバネ用溝部２５ｈが形成されている。
【００１３】
底板部２５の上面２５ｇ（内面）後部には、断面略矩形の突条である挿入凸部２５ｊ（防塵用突部）が幅方向に沿って延在して形成されている（図４、図５、図１４参照）。挿入凸部２５ｊは、前側ハウジング３０のほぼ全幅にわたる範囲に形成されていることが好ましい。挿入凸部２５ｊの延在方向は、前側ハウジング３０および嵌合ハウジング本体２１の周方向となっている。なお、挿入凸部２５ｊは、底板部２５の幅方向に亘って形成されていれば、その延在方向は必ずしも幅方向に一致していなくてもよい。
挿入凸部２５ｊは、前側ハウジング３０に当接または近接して、嵌合ハウジング本体２１と前側ハウジング３０との隙間を狭くできる。
挿入凸部２５ｊは、前側ハウジング３０の孔内面当接突部３１ａ、３１ｂの間の空間（溝部３１ｃ）に挿入されて、突部３１ａ、３１ｂに係合する係合構造である。図示例の挿入凸部２５ｊは、孔内面当接突部３１ｂの前面に当接または近接している（図１４参照）。この構造によって、嵌合ハウジング本体２１内の前後方向の空気の流通を起こりにくくできる。
挿入凸部２５ｊと突部３１ａ、３１ｂとは、嵌合ハウジング本体２１と前側ハウジング３０との隙間が完全に閉止される構造であることが好ましいが、これに限らず、前記隙間を狭くし、嵌合ハウジング本体２１内の前後方向の空気の流通を起こりにくくできればよい。
底板部２５の上面２５ｇには、前側ハウジング３０の少なくとも一部が載置される。
【００１４】
挿入片２７（防塵用突部または挿入凸部）は、断面略矩形の長板状とされ、底板部２５の後部の上面２５ｇから上方に延出する延出片である。挿入片２７は、底板部２５の両側縁部２５ｉ（側部）に近い位置にそれぞれ形成されている。挿入片２７は、上下方向（前側ハウジング３０の周方向）に延在している。
これら一対の挿入片２７は、それぞれ前側ハウジング３０の一方および他方の側面に対面する位置に形成される。すなわち、これら一対の挿入片２７は、前側ハウジング３０を挟む位置に形成される。
挿入片２７は、前側ハウジング３０に当接または近接して、嵌合ハウジング本体２１と前側ハウジング３０との隙間を狭くできる。挿入片２７は、内側面がベース部３１に当接または近接することが好ましい。
挿入片２７は、挿入凸部２５ｊに当接または近接する位置に形成されることが好ましい。図示例の挿入片２７は挿入凸部２５ｊの端部に連なって形成されている。挿入片２７の上端は、挿入凸部２８ｇの下面に当接または近接する位置に達していることが好ましい（図１４参照）。
挿入片２７は、前側ハウジング３０の孔内面当接突部３１ａ、３１ｂの間の空間（溝部３１ｃ）に挿入されて、突部３１ａ、３１ｂに係合する係合構造である。この構造によって、嵌合ハウジング本体２１内の前後方向の空気の流通を起こりにくくできる。
【００１５】
図示例の挿入片２７は、溝部３１ｃに嵌合する（図１５参照）。挿入片２７が溝部３１ｃに嵌合することによって、嵌合ハウジング本体２１と前側ハウジング３０との間の隙間を狭くできるため、嵌合ハウジング本体２１内の前後方向の空気の流通を起こりにくくする効果が高められる。挿入片２７は、溝部３１ｃの全高さ範囲に形成されていることが好ましい。
挿入片２７の延在方向は、前側ハウジング３０および嵌合ハウジング本体２１の周方向となっている。なお、挿入片２７は、上下に亘って形成されていれば、その延在方向は必ずしも上下方向に正確に一致していなくてもよい。例えば、挿入片２７の延在方向は、底板部２５に対し０°を越え、９０°未満で交差する方向であってよい。
図示例の挿入片２７の前後方向の寸法は、孔内面当接突部３１ａ、３１ｂ間の前後方向の距離にほぼ等しいか、これよりやや小さい程度であるため、挿入片２７の前面は孔内面当接突部３１ａに当接または近接し、後面は孔内面当接突部３１ｂに当接または近接している。
【００１６】
図１および図６に示すように、本体カバー部２４は、平面視略矩形の天板部２８と、その両側縁に設けられた一対の側板部２９、２９とを有する。図示例の本体カバー部２４は、天板部２８とその両側縁から垂下する側板部２９とからなる。
天板部２８は、本体基板部２３（詳しくは底板部２５）と対向して形成され、前部２８ａと、前部２８ａより低く形成された上面を有する後部２８ｂとを備えている。符号２８ｃは、前部２８ａと後部２８ｂとの境界に形成された段部である。
【００１７】
天板部２８の下面２８ｆ（内面）には、断面略矩形の突条である挿入凸部２８ｇ（防塵用突部）が幅方向に沿って形成されている（図６（ｄ）、図１４参照）。挿入凸部２８ｇは、前側ハウジング３０に当接または近接して、嵌合ハウジング本体２１と前側ハウジング３０との隙間を狭くできる。挿入凸部２８ｇは、下面がベース部３１に当接または近接することが好ましい。挿入凸部２８ｇは、前側ハウジング３０のほぼ全幅にわたる範囲に形成されていることが好ましい。挿入凸部２８ｇは、下面がベース部３１に当接または近接することが好ましい。
挿入凸部２８ｇの延在方向は、前側ハウジング３０および嵌合ハウジング本体２１の周方向となっている。なお、挿入凸部２８ｇは、前記幅方向に亘って形成されていれば、その延在方向は必ずしも幅方向に正確に一致していなくてもよい。
挿入凸部２８ｇは、前側ハウジング３０の孔内面当接突部３１ａ、３１ｂの間の空間（溝部３１ｃ）に挿入されて、突部３１ａ、３１ｂに係合する係合構造である。この構造によって、嵌合ハウジング本体２１内の前後方向の空気の流通を起こりにくくできる。
図示例の挿入凸部２８ｇは、溝部３１ｃに嵌合する（図１４参照）。挿入凸部２８ｇが溝部３１ｃに嵌合することによって、嵌合ハウジング本体２１と前側ハウジング３０との間の隙間を狭くできるため、嵌合ハウジング本体２１内の前後方向の空気の流通を起こりにくくする効果が高められる。
図示例の挿入凸部２８ｇの前後方向の寸法は、孔内面当接突部３１ａ、３１ｂ間の前後方向の距離にほぼ等しいか、これよりやや小さい程度であるため、挿入凸部２８ｇの前面は孔内面当接突部３１ａに当接または近接し、後面は孔内面当接突部３１ｂに当接または近接している。
【００１８】
本体基板部２３の挿入凸部２５ｊおよび挿入片２７と、本体カバー部２４の挿入凸部２８ｇは、本体基板部２３と本体カバー部２４を組み合わせた時に、嵌合ハウジング本体２１および前側ハウジング３０の周方向に亘って延在する１つの略連続した係合構造（嵌合ハウジング本体２１側の係合構造）を構成する。
図示例では、挿入凸部２５ｊ、挿入片２７および挿入凸部２８ｇは、嵌合ハウジング本体２１および前側ハウジング３０を全周にわたって延在する係合構造である。具体的には、この係合構造は、挿入凸部２５ｊ、挿入片２７、２７および挿入凸部２８ｇが各辺をなす矩形枠状の構造である。
なお、嵌合ハウジング本体２１側の係合構造には、挿入凸部２５ｊ、挿入片２７、挿入凸部２８ｇ以外に、嵌合ハウジング本体２１に形成された他の凹部（溝部）または凸部（突条）を含んでいてもよい。
【００１９】
図示例では、本体基板部２３に挿入凸部２５ｊおよび挿入片２７（挿入凸部）が形成され、本体カバー部２４に挿入凸部２８ｇが形成されているが、本体基板部２３と本体カバー部２４の一方にのみ挿入凸部が形成されていてもよい。
例えば、嵌合ハウジング本体２１は、本体カバー部２４に挿入凸部２８ｇが形成され、かつ本体基板部２３に挿入凸部２５ｊと挿入片２７の一方または両方が形成されていない構造としてよい。また、本体カバー部２４に挿入凸部２８ｇが形成されておらず、かつ本体基板部２３に挿入凸部２５ｊと挿入片２７の一方または両方が形成されている構造も可能である。
【００２０】
側板部２９は、前部２９ａと、前部２９ａより内方寄りに形成された外側面を有する後部２９ｂとを備えている。符号２９ｃは、前部２９ａと後部２９ｂとの境界に形成された段部である。
一対の側板部２９、２９は、前側ハウジング３０の少なくとも一部（図示例ではプラグフレーム部３５より前方の部分の前側ハウジング３０）を挟むように設けられている。側板部２９は、天板部２８に対し交差する方向に形成される。図示例では側板部２９に対し垂直な方向に形成されている。
図示例の前縁部２９ｄは、下方に向かって徐々に後方寄りとなるように傾斜している。なお、前縁部２９ｄは上下方向に沿う方向であってもよい。
【００２１】
側板部２９の内面２９ｅには、前縁部２９ｄに沿う前面２９ｆを有する当接凸部２９ｇが形成されている。前縁部２９ｄは下方に向かって徐々に後方寄りとなるように傾斜しているため、当接凸部２９ｇの前面２９ｆも同方向に傾斜している。
このため、閉止位置の蓋部２２は、下方に向かって徐々に後方寄りとなるように傾斜する。詳細には、蓋部２２の内面２２ｆは下方に向かって徐々に後方寄りとなるように傾斜する。この傾斜によって、閉止位置から開放位置までの蓋部２２の回動角度は比較的小さくなるため、蓋部２２を開放させる操作が容易になる。
【００２２】
図示例の当接凸部２９ｇの上端は天板部２８の下面２８ｆに達している。当接凸部２９ｇは、側板部２９の最下部近傍まで延出している。
当接凸部２９ｇは、前面２９ｆの上端が天板部２８の前縁部２８ｄに連なって形成されている。当接凸部２９ｇの前面２９ｆと前縁部２８ｄの前面とは面一であることが好ましい。閉止位置にある蓋部２２は、当接凸部２９ｇの前面２９ｆと前縁部２８ｄの前面に当接する。
【００２３】
本体カバー部２４は、前側ハウジング３０の一部または全部を収容可能に形成されている。図示例の本体カバー部２４は、プラグフレーム部３５より前方の部分の前側ハウジング３０を収容することができる。このため、嵌合ハウジング本体２１は、前側ハウジング３０の前部を包囲している。なお、嵌合ハウジング本体２１は前側ハウジング３０の全体を包囲する構造であってもよい。
図示例の嵌合ハウジング本体２１は断面矩形であるが、嵌合ハウジング本体２１の断面形状はこれに限らず、五角形、六角形などの多角形や半円状などであってよい。
【００２４】
図７〜図９に示すように、蓋部２２は平面視概略矩形に形成され、矩形版状の蓋部本体２２ａの後縁部２２ｂに、軸受用凸部２２ｄが形成されている。軸受用凸部２２ｄには、回動軸３７が挿通する軸受口２２ｃが形成されている。図示例では、後縁部２２ｂに２つの軸受用凸部２２ｄが幅方向に間隔をおいて形成されている。
蓋部本体２２ａの外面２２ｅには、後縁部２２ｂから前方に向かってバネ用溝部２２ｇが形成されている。符号２２ｆは蓋部本体２２ａの内面である。内面２２ｆは、閉止位置（図３）では嵌合ハウジング本体２１の内面側に面する。
【００２５】
図２および図３に示すように、蓋部２２は、回動軸３７（連結位置）を中心として回動することにより、光コネクタ挿入穴１１ａを開閉自在に閉止可能である。すなわち、光コネクタ挿入穴１１ａを閉止する位置にある蓋部２２は、前記回動によって光コネクタ挿入穴１１ａを開放することができ、光コネクタ挿入穴１１ａを開放する位置にある蓋部２２は、前記回動によって光コネクタ挿入穴１１ａを閉止することができる。
図示例の蓋部２２は、前記回動によって、光コネクタ挿入穴１１ａを閉止する閉止位置（図３参照）と、閉止位置から回動軸３７を中心として外方に回動することにより光コネクタ挿入穴１１ａを開放した開放位置（図２参照）とを切り替え可能である。図２では、蓋部２２は嵌合ハウジング本体２１の軸線方向（軸方向）に平行である。図２および図３に示す例では、開放位置と閉止位置との蓋部２２の回動角の差は９０°未満である。
閉止位置の蓋部２２は、天板部２８の前縁部２８ｄと、側板部２９の当接凸部２９ｇとに当接または近接しているため、光コネクタ挿入穴１１ａを通したコネクタ嵌合ハウジング２０内外の空気の流通を起こりにくくすることができる。
【００２６】
回動軸３７の前後方向の位置は、嵌合ハウジング本体２１の側板部２９の前縁部２９ｄよりも後方寄りであることが望ましい。これによって、嵌合ハウジング本体２１の開口端と蓋部２２との間の防塵性を高めることができる。
側板部２９の前縁部２９ｄは、回動軸３７および天板部２８の前縁部２８ｄよりも前方寄りにあるため、蓋部２２が閉止位置（図３）にあるときは、側板部２９が蓋部２２の側部を覆うことになり、蓋部２２と側板部２９との隙間からの外気流入を防ぎ、防塵性を高めることができる。
【００２７】
図９および図１１に示すように、バネ３８は、回動軸３７を挿通する螺旋状の基部３８ａと、基部３８ａから延出してバネ用溝部２５ｈに挿入される本体側延出部３８ｂと、基部３８ａから延出してバネ用溝部２２ｇに挿入される蓋部側延出部３８ｃとを備えている。
バネ３８は、自らの弾性力によって、蓋部２２を開放位置（図２参照）から閉止位置（図３参照）に戻す方向に付勢する。このため、光コネクタ挿入穴１１ａから挿入光コネクタ９０を抜出する際に、ただちに光コネクタ挿入穴１１ａをふさぐことができ、防塵性の点で好適である。
【００２８】
図２に示すように、嵌合ハウジング本体２１内の貫通孔（以下、ハウジング貫通孔２１Ａ）は、その軸線に垂直の断面が概略矩形（詳しくは長方形）となっている。
【００２９】
図１〜図３、図１２、図１３に示すように、結合ユニット部５０（５０Ｃ）は、ユニット部ハウジング５１Ｃ内に、光ファイバ７の先端部に取り付けたフェルール５７（内蔵フェルール）と、このフェルール５７をコネクタ前側へ向かって弾性付勢するスプリング５８（コイルスプリング）とを収納した構成になっている。
ユニット部ハウジング５１Ｃは、前側ハウジング３０と、前側ハウジング３０のプラグフレーム部３５に嵌合して前側ハウジング３０に取り付けたスリーブ状のストップリング５６とからなる。
この結合ユニット部５０Ｃは、光ファイバ７の先端部に組み立てられている。
光ファイバ７は、例えば光ファイバ心線等の被覆付き光ファイバであり、ストップリング５６後端の後端開口部５６ａから延出されている。
【００３０】
図１４、１５に示すように、コネクタ嵌合ハウジング２０と前側ハウジング３０とは、光コネクタ９０（光コネクタプラグ）を挿入、嵌合可能なコネクタ嵌合部１１を構成する。以下、光コネクタ９０を挿入光コネクタとも言う。
光コネクタ１０は、その前端部にコネクタ嵌合部１１を有し、このコネクタ嵌合部１１から後側に結合ユニット部５０が突出する構成となっている。換言すれば、この光コネクタ１０は、結合ユニット部５０の前端部に、コネクタ嵌合部１１を有する構成となっている。
コネクタ嵌合部１１は、挿入光コネクタ９０としてＳＣ形光コネクタを挿入、嵌合可能となっている。
この挿入光コネクタ９０を図２５に示す。
【００３１】
コネクタ嵌合部１１は、コネクタ嵌合ハウジング２０のハウジング貫通孔２１Ａのうち、前側ハウジング３０のベース部３１から前側の部分である光コネクタ挿入穴１１ａを有している。光コネクタ挿入穴１１ａは、コネクタ嵌合ハウジング２０の前側に開口している。
図１５に示すように、挿入光コネクタ９０は、コネクタ嵌合部１１前端（コネクタ嵌合ハウジング２０前端）から、コネクタ嵌合ハウジング２０内側の光コネクタ挿入穴１１ａに挿入して、コネクタ嵌合部１１に嵌合される。
図示例のコネクタ嵌合部１１に嵌合可能な挿入光コネクタとしては、ＳＣ形光コネクタからつまみ（カップリング）を省略した構成の、いわゆるＳＣ２形光コネクタも採用可能である。
【００３２】
図１０〜図１２に示すように、前側ハウジング３０は、ベース部３１から後側に延出するスリーブ状のプラグフレーム部３５を有している。図示例の前側ハウジング３０はプラスチック製の一体成形品であり、前記プラグフレーム部３５は、ベース部３１から後側に突出する筒状突部である。
前側ハウジング３０は、前記ベース部３１から前側に突出する突筒部３２を有している。前側ハウジング３０には、前記ベース部３１を貫通して前記突筒部３２前端に開口する貫通孔３３（フェルール挿入孔）が形成されている。この貫通孔３３は、突筒部３２の内側孔と、該内側孔を後側へ延長するようにしてベース部３１に貫通させた部分とからなり、前記突筒部３２の内側孔を含み、前記ベース部３１後端に開口している。
【００３３】
貫通孔３３には位置決めスリーブ５２が貫通孔３３の軸線方向に移動可能に収納されている。また、この位置決めスリーブ５２の内側には、後述するクランプ部付きフェルール６０のフェルール６１（内蔵フェルール。フェルール本体）が内挿されている。
【００３４】
前側ハウジング３０のベース部３１には、その前後方向に互いに離隔する２箇所の外周に、コネクタ嵌合ハウジング２０のハウジング貫通孔２１Ａ内面（天板部２８の下面２８ｆ、側板部２９の内面２９ｅ、および底板部２５の上面２５ｇ）に当接する突条である孔内面当接突部３１ａ、３１ｂ（防塵用突部、位置決め用突部）が周設されている。
前側ハウジング３０は、ベース部３１の外周全周にわたって延在する孔内面当接突部３１ａ、３１ｂが、その延在方向全長にわたってハウジング貫通孔２１Ａ内面に当接して、ハウジング貫通孔２１Ａ内に位置決めして設けられることが好ましい。
図示例の孔内面当接突部３１ａ、３１ｂの延在方向は、前側ハウジング３０および嵌合ハウジング本体２１の周方向となっている。なお、孔内面当接突部３１ａ、３１ｂは、前記周方向に亘って形成されていれば、その延在方向は必ずしも正確に周方向（幅方向または上下方向）に一致していなくてもよい。
【００３５】
孔内面当接突部３１ａ、３１ｂは、その延在方向にわたってハウジング貫通孔２１Ａ内面に当接することによって、嵌合ハウジング本体２１と前側ハウジング３０との隙間を狭くできる。
孔内面当接突部３１ａ、３１ｂは、全周にわたってハウジング貫通孔２１Ａ内面に当接することが好ましいが、一部または全部がハウジング貫通孔２１Ａ内面に当接しない場合でも、当該一部または全部がハウジング貫通孔２１Ａ内面に近接していれば、嵌合ハウジング本体２１と前側ハウジング３０との間の隙間を狭くし、嵌合ハウジング本体２１内の前後方向の空気の流通を起こりにくくできる。
孔内面当接突部３１ａ、３１ｂ間の空間は、ベース部３１の周方向に延在する溝部３１ｃであり、溝部３１ｃも係合構造として機能する。溝部３１ｃには、嵌合ハウジング本体２１の挿入凸部２５ｊ、挿入片２７および挿入凸部２８ｇが挿入される。
また、図示例の孔内面当接突部３１ａ、３１ｂは、ベース部３１の外周全周にわたって延在するが、周方向の一部のみに形成されていても防塵効果は得られる。例えば、孔内面当接突部３１ａ、３１ｂがベース部３１の側面と上面にのみ形成され、下面には形成されていない場合でも、ベース部３１下面と本体基板部２３との隙間が十分に狭くなっていれば、十分な防塵効果が得られる。
【００３６】
図示例の光コネクタ１０では、嵌合ハウジング本体２１と前側ハウジング３０のそれぞれに、凹部（溝部）または凸部（突条）からなる係合構造を形成することによって防塵効果が得られるが、本発明はこれに限らず、嵌合ハウジング本体２１と前側ハウジング３０の間に、周方向に延在する当接部材を介在させる構造によって防塵性能を高めることもできる。当接部材としては、弾性変形可能な材料からなり、圧縮変形した状態で嵌合ハウジング本体２１の内面と前側ハウジング３０の外面に当接する環状体を例示できる。
また、嵌合ハウジング本体２１とベース部３１とを周方向の一部または全周にわたって直接、接着剤等で接着する構造や、嵌合ハウジング本体２１とベース部３１との隙間に、周方向の一部または全周にわたって充填剤を充填した構造も可能である。
嵌合ハウジング本体２１とベース部３１とを周方向の一部で接着等する場合には、接着等する周方向部分には、凹部または凸部からなる係合構造を形成せず、接着していない周方向部分にのみ凹部または凸部からなる係合構造を形成することができる。
また、図示例の光コネクタ１０では、嵌合ハウジング本体２１に係合構造（挿入凸部２５ｊ、挿入片２７および挿入凸部２８ｇ）が形成されているが、嵌合ハウジング本体２１に、前側ハウジング３０側の凸部（突条）（例えば孔内面当接突部３１ａ、３１ｂ）が嵌合する凹部（溝部）を形成してもよい。
光コネクタ１０では、嵌合ハウジング本体２１に凸部（挿入凸部２５ｊ、挿入片２７および挿入凸部２８ｇ）が形成され、かつ前側ハウジング３０に孔内面当接突部３１ａ、３１ｂおよび溝部３１ｃが形成されているが、嵌合ハウジング本体２１と前側ハウジング３０のいずれか一方にのみ凹部（溝部）または凸部（突条）を設けてもよい。
【００３７】
光コネクタ１０では、前側ハウジング３０の孔内面当接突部３１ａ、３１ｂの間に挿入片２７が挿入されることにより、前側ハウジング３０はコネクタ嵌合ハウジング２０に対する前後方向の移動が規制される。
なお、孔内面当接突部の形成箇所の数は図示例に限らず、３以上としてもよい。
【００３８】
図１４、図１５に示すように、前側ハウジング３０の突筒部３２の前端内周には、貫通孔３３（フェルール孔）内に収納された位置決めスリーブ５２（図示例では割スリーブ）の軸線方向片端が当接される抜け止め突起３２ａが突設されている。位置決めスリーブ５２は、抜け止め突起３２ａによって、突筒部３２から前側への抜け出しが規制されている。
前側ハウジング３０の貫通孔３３の前記抜け止め突起３２ａから後側の部分は、結合ユニット部５０Ａ後側に行くにしたがってその内径が次第に大きくなるテーパ状に形成されている。貫通孔３３後端の内径は、貫通孔３３の前記抜け止め突起３２ａから後側に位置する部分（主孔部）の前端の内径に比べて僅かに大きい。
なお、位置決めスリーブ５２外径は、貫通孔３３の前記抜け止め突起３２ａから後側に位置する部分である主孔部の前端の内径と同じか、該内径に比べて僅かに径小とされている。
【００３９】
プラグフレーム部３５の内側孔は、前側ハウジング３０の貫通孔３３と同軸に該貫通孔３３後端に比べて径大に形成された丸孔状となっている。前側ハウジング３０の貫通孔３３とプラグフレーム部３５の内側孔との境界には段差面３６が形成されている。この段差面３６は、貫通孔３３後端周囲全周に形成されている。
【００４０】
図２５に示すように、挿入光コネクタ９０は、スリーブ状のつまみ９１外周に突設されているキー９１ｄを、コネクタ嵌合ハウジング２０の天板部２８にその前端から後側に向かって延在形成されたキー挿入用凹部２８ｅ（図１、図６参照）に挿入することで、コネクタ嵌合部１１の光コネクタ挿入穴１１ａに挿入できる。
【００４１】
図１５に示すように、挿入光コネクタ９０は、コネクタ嵌合部１１の光コネクタ挿入穴１１ａへの押し込み（挿入）によって、プラグフレーム９２内側のフェルール９３を前側ハウジング３０の貫通孔３３内の位置決めスリーブ５２に挿入（圧入）できる。
また、挿入光コネクタ９０は、フェルール９３を結合ユニット部５０の前側ハウジング３０の貫通孔３３内の位置決めスリーブ５２に挿入することで、プラグフレーム９２が前記前側ハウジング３０の突筒部３２に外挿され外嵌めされる。
挿入光コネクタ９０は、フェルール９３を前記前側ハウジング３０の貫通孔３３内の位置決めスリーブ５２に挿入し、プラグフレーム９２を前記前側ハウジング３０の突筒部３２に外嵌めすることで、コネクタ嵌合部１１に対する挿入、嵌合を達成できる。
【００４２】
挿入光コネクタ９０は、光ファイバ心線、光ファイバ素線といった被覆付き光ファイバである光ファイバ９４の先端部に組み立てられている。図示例の挿入光コネクタ９０のフェルール９３には光ファイバ９４の先端部が内挿固定されている。フェルール９３先端の接合端面９３ａには、光ファイバ９４先端に口出しされた裸光ファイバ９４ａ（図１５参照）の先端面が露出されている。裸光ファイバ９４ａの先端面は、フェルール９３の接合端面９３ａと連続する面を形成するように、フェルール９３の接合端面９３ａに対して位置合わせされている。
【００４３】
位置決めスリーブ５２は、挿入光コネクタ９０のフェルール９３と、結合ユニット部５０側のフェルール６１とを、互いに同軸上となるように高精度に位置決めするものである。このため、位置決めスリーブ５２内にてフェルール９３、６１同士を互いに突き当てる（接合端面９３ａ、６１ｂ同士を接合する）ことで、各フェルール９３、６１にそれぞれ内挿固定されている光ファイバ９４、６２同士の突き合わせ接続（光接続）を実現できる。
光ファイバ９４、６２同士の突き合わせ接続は、具体的には、挿入光コネクタ９０が組み立てられた光ファイバ９４の裸光ファイバ９４ａと、光コネクタ１０の結合ユニット部５０のフェルール６１に内挿固定されている内蔵光ファイバ６２との突き合わせ接続である。
【００４４】
図１５等に示すように、前側ハウジング３０には、光コネクタ挿入穴１１ａに挿入、嵌合した挿入光コネクタ９０のハウジング（詳細にはプラグフレーム９２）に両側から係脱可能に係合する一対の爪付き係合片３４が突設されている。
図１０〜図１２に示すように、爪付き係合片３４は、前記ベース部３１から前側に延出（突出）する弾性延出片３４ａの先端に、ＳＣ形光コネクタである挿入光コネクタ９０のハウジング（具体的にはプラグフレーム９２）に係合する突爪３４ｂを突設した構成である。一対の爪付き係合片３４は、前記突筒部３２の両側に配置されている。
【００４５】
コネクタ嵌合部１１前側から光コネクタ挿入穴１１ａに押し込んだ挿入光コネクタ９０は一対の爪付き係合片３４の間に挿入される。そして、挿入光コネクタ９０は、各爪付き係合片３４先端の突爪３４ｂがつまみ９１の両側の窓孔９１ａを介してプラグフレーム９２の両側の係合突部９２ａに係合する。挿入光コネクタ９０は、爪付き係合片３４の係合によってコネクタ嵌合部１１からの引き抜きが規制され、コネクタ嵌合部１１に対する嵌合状態が保たれる。
突爪３４ｂは、一対の爪付き係合片３４先端に、互いに対向する相手側の爪付き係合片３４先端に向かって突設されている。
【００４６】
なお、前側ハウジング３０のベース部３１から前側部分は、ＪＩＳ  Ｃ  ５９７３に準拠して、挿入光コネクタ９０との間にスライドロック構造を構成する。
すなわち、挿入光コネクタ９０をコネクタ嵌合部１１に挿入、嵌合したときに、一対の爪付き係合片３４とプラグフレーム９２の係合突部９２ａとの係合によって、挿入光コネクタ９０のコネクタ嵌合部１１からの抜き去りがロックされる。また、コネクタ嵌合部１１に嵌合状態の挿入光コネクタ９０のつまみ９１をコネクタ嵌合部１１から抜き去り方向に引っ張り操作すると、一対の爪付き係合片３４のプラグフレーム９２に対する係合を解除しながら、挿入光コネクタ９０のコネクタ嵌合部１１からの離脱（抜き去り）が可能である。
【００４７】
図１０（ａ）、（ｂ）、（ｅ）、図１２に示すように、爪付き係合片３４の先端（前端）には、コネクタ嵌合部１１に嵌合した挿入光コネクタ９０のつまみ９１をコネクタ嵌合部１１から抜き去り方向へ引っ張り操作したときに、プラグフレーム９２の係合突部９２ａに対する爪付き係合片３４の係合を解除するための係合解除用突部３４ｃが突設されている。係合解除用突部３４ｃは、各爪付き係合片３４先端に、一対の爪付き係合片３４の間隔方向に垂直、かつコネクタ前後方向（ここではコネクタ嵌合ハウジング２０の軸線方向、及び貫通孔３３の軸線方向に一致）に垂直の両側に突設されている。この係合解除用突部３４ｃは、コネクタ嵌合部１１に嵌合した挿入光コネクタ９０のつまみ９１をコネクタ嵌合部１１から抜き去り方向へ引っ張り操作したときに、つまみ９１の前記窓孔９１ａに臨む位置に形成された係合解除用テーパ壁部９１ｂ（図１９参照）に押圧されて、プラグフレーム９２の係合突部９２ａに係合している爪付き係合片３４先端をプラグフレーム９２から離隔方向に変位させ、係合突部９２ａに対する係合を解除する。
【００４８】
図１５に示すように、つまみ９１の前記係合解除用テーパ壁部９１ｂは、爪付き係合片３４先端の突爪３４ｂがプラグフレーム９２の係合突部９２ａに係合しているとき、光コネクタ１０前後方向において爪付き係合片３４の係合解除用突部３４ｃの後側に位置する。挿入光コネクタ９０において、前記係合解除用テーパ壁部９１ｂは、フェルール９３先端の接合端面９３ａ側である挿入コネクタ前側に行くにしたがって、つまみ９１のプラグフレーム９２に臨む内面からの突出寸法が増大するテーパ状に形成されている。このため、コネクタ嵌合部１１に嵌合した挿入光コネクタ９０のつまみ９１を引っ張り操作によってコネクタ嵌合部１１から抜き去り方向へ移動（図１１において光コネクタ１０前側への移動）させると、爪付き係合片３４の係合解除用突部３４ｃが前記係合解除用テーパ壁部９１ｂに乗り上げるようにしてプラグフレーム９２から離隔方向に変位し、プラグフレーム９２の係合突部９２ａに対する爪付き係合片３４の係合を解除できる。
【００４９】
なお、図２５に示すように、挿入光コネクタ９０の係合解除用テーパ壁部９１ｂは、爪付き係合片３４先端両側の係合解除用突部３４ｃに対応して、つまみ９１の両側に２つづつ設けられている。また、プラグフレーム９２の係合突部９２ａに係合した爪付き係合片３４先端の弾性延出片３４ａは、つまみ９１の両側にて、２つの係合解除用テーパ壁部９１ｂの間に確保された延出片収納溝９１ｃに収納される。
【００５０】
図１３に示すように、フェルール５７は、単心光コネクタ用のフェルールであり、ファイバ孔５７ａが貫通するキャピラリ状のフェルール本体５７ｆにフランジ部品５７ｇを固定したものである。フランジ部品５７ｇは、フェルール本体５７ｆ前端の突き合わせ接合用の接合端面５７ｂとは反対の後端部に固定されたリング状のフランジ部５７ｈに、フェルール本体５７ｆ後端から後側へ延出するスリーブ部５７ｉが突設された構成となっている。
フェルール５７のファイバ孔５７ａは、フェルール本体５７ｆ先端（前端）の接合端面５７ｂからフェルール５７後側に向かって延在し、フェルール後端面、すなわちフランジ部品５７ｈのスリーブ部５７ｉの後端面に達している。このフェルール５７には、前記ファイバ孔５７ａに挿入された光ファイバ７の先端部が内挿固定されている。ファイバ孔５７ａに挿入された光ファイバ７の先端部は、例えば、ファイバ孔５７ａに充填された接着剤による接着固定などによってフェルール５７に固定される。
【００５１】
ファイバ孔５７ａは、フェルール本体５７ｆ先端（前端）の接合端面５７ｂからフェルール５７後側に向かって延在する微細孔である位置決め孔部５７ｃを有する。このファイバ孔５７ａの位置決め孔部５７ｃ後端から後側の部分は、位置決め孔部５７ｃに比べて径大に形成された被覆部収納孔部５７ｄとされている。被覆部収納孔部５７ｄは、位置決め孔部５７ｃ後端から後側へ延在しフェルール後端面に達している。
フェルール５７には、ファイバ孔５７ａの位置決め孔部５７ｃに、光ファイバ７の先端に口出しされた裸光ファイバ７ａが内挿固定され、被覆部収納孔部５７ｄに光ファイバ７の裸光ファイバ７ａから後側の被覆７ｂ付き部分である被覆部が内挿固定されている。
【００５２】
図１６は、挿入光コネクタ９０を光コネクタ１０のコネクタ嵌合部１１に挿入、嵌合した状態を示す斜視図である。
図示例では、挿入光コネクタ９０は筒状のカバー部材９５内に設けられている。カバー部材９５は、本体基板部２３または本体カバー部２４の前縁部に当接して挿入方向の移動が阻止されるため、光コネクタ挿入穴１１ａには挿入光コネクタ９０のみが挿入される。
【００５３】
光コネクタ１０は、挿入光コネクタ９０が挿入されるコネクタ嵌合ハウジング２０と、フェルール５７を有する結合ユニット部５０とを有し、コネクタ嵌合ハウジング２０が、光コネクタ挿入穴１１ａを閉止可能な蓋部２２を備えているので、光コネクタ挿入穴１１ａからコネクタ嵌合ハウジング２０内への塵埃の侵入を防ぐことができる。
結合ユニット部５０は、挿入光コネクタ９０のフェルール９３が突き合わせ接続されるフェルール５７を内蔵しているため、プラグ−アダプタ−プラグ方式の結合方式とは異なり、挿入光コネクタ９０と接続させる光コネクタを嵌合するための構造が必要ないことから、光コネクタ１０の小型化が可能である。
また、結合ユニット部５０の構造が簡略であるため、部品点数が少ないことから、組み立て作業を容易にするとともに、低コスト化を図ることができる。
【００５４】
結合ユニット部５０は、フェルール５７をコネクタ前側へ向かって弾性付勢するスプリング５８を内蔵しているため、挿入光コネクタ９０にスプリングバック機構がない場合でも、確実な突き合わせ接続が可能となる。
【００５５】
図１〜図４等に示す光コネクタ１０では、側板部２９の当接凸部２９ｇの前面２９ｆが下方に向かって徐々に後方寄りとなるように傾斜しているため、閉止位置の蓋部２２（詳細には内面２２ｆ）は、下方に向かって徐々に後方寄りとなるように傾斜する。このため、開放位置と閉止位置との蓋部２２の回動角の差は９０°未満である（図２および図３参照）。
本発明では、開放位置（図２）と閉止位置との蓋部２２の回動角の差は、９０°以上であってもよい。
例えば、側板部２９の当接凸部２９ｇの前面２９ｆを、下方に向かって徐々に前方寄りとなるように傾斜させて形成すれば、閉止位置の蓋部２２（詳細には内面２２ｆ）は、下方に向かって徐々に前方寄りとなるように傾斜する。この場合、開放位置と閉止位置との蓋部２２の回動角の差は９０°を越える。
当接凸部２９ｇの前面２９ｆを、上下方向に沿って形成すれば、閉止位置の蓋部２２（詳細には内面２２ｆ）も、上下方向に沿う方向となり、開放位置と閉止位置との蓋部２２の回動角の差は９０°となる。
【００５６】
次に、本発明の光コネクタレセプタクルの第２実施形態について説明する。
図１７は、本発明の第２実施形態の光コネクタレセプタクル２１０（以下、単に光コネクタ２１０という）の構造を示す分解斜視図である。図１８は、光コネクタ２１０の斜視図である。
この実施形態の光コネクタ２１０は、現場組立形の光コネクタであり、光ファイバケーブル１（光伝送体）の先端に組み立てられるものである。光コネクタ２１０と光ファイバケーブル１は、コネクタ付き光伝送体を構成する。
以下の説明において、図１等に示す光コネクタ１０との共通構成については、同じ符号を付してその説明を省略することがある。
【００５７】
光コネクタ２１０は、コネクタ嵌合ハウジング２０と、ハウジング５１にクランプ部付きフェルール６０（後述）を収納した結合ユニット部５０とを有する。
ハウジング５１は、前側ハウジング３０に後側ハウジング４０を取り付けたものであり、以下、ユニット部ハウジングとも言う。
結合ユニット部５０は、ユニット部ハウジング５１に、クランプ部付きフェルール６０と、該クランプ部付きフェルール６０をコネクタ前方へ弾性付勢するスプリング５３とを収納した概略構成になっている。
結合ユニット部５０に図中符号５０Ａ、ユニット部ハウジング５１に図中符号５１Ａを付記する。
【００５８】
図３８に示すように、光ファイバケーブル１は、光ファイバ２と、可撓性を有する線状の抗張力体４とを互いに並行になるように合成樹脂製の外被３によって一括被覆したものである。抗張力体４は、光ファイバ２の両側に互いに並行に２本設けられている。
光ファイバ２は、裸光ファイバ２ａの外周面（側面）を被覆２ｂで覆った構成の被覆付き光ファイバであり、例えば光ファイバ心線や光ファイバ素線等が挙げられる。本実施形態において光ファイバ２は単心の被覆付き光ファイバである。裸光ファイバ２ａは、例えば石英系光ファイバである。また、被覆２ｂは、例えば紫外線硬化性樹脂やポリアミド樹脂などを１層または複数層、ほぼ同心円状に被覆した樹脂被覆である。抗張力体４としては、例えばアラミド繊維等の抗張力繊維からなるもの、鋼線等を挙げることができる。光ファイバケーブル１としては、インドアケーブル、ドロップケーブル等が挙げられる。
【００５９】
図１７および図１８に示すように、後側ハウジング４０は、ユニット部ハウジング５１内にその後側から光ファイバ２を挿入するためのファイバ導入孔４２ａが貫設されたブロック部４２に、スリーブ状（図示例では円筒状）の胴部４１ｅを突設したストップリング部４１と、前記ブロック部４２から前記胴部４１ｅとは反対の側（後側）に延出する断面コ字形の固定部材受け部４３とを有している。
結合ユニット部５０のユニット部ハウジング５１は、具体的には、前側ハウジング３０と後側ハウジング４０のストップリング部４１とによって構成されている。この結合ユニット部５０に図中符号５０Ａ、ユニット部ハウジング５１に図中符号５１Ａを付記する。
【００６０】
なお、本明細書においては、結合ユニット部５０、ユニット部ハウジング５１について、前側ハウジング３０の突筒部３２及び爪付き係合片３４が突設されている側を前、反対側を後として扱う。結合ユニット部５０Ａ、ユニット部ハウジング５１Ａについては、突筒部３２及び爪付き係合片３４が突設されている側を前、固定部材受け部４３が設けられている側を後として扱う。
【００６１】
後側ハウジング４０の固定部材受け部４３には、その後方から、光ファイバケーブル１端末に固定した引留用固定部材１２０を押し込んで収納（挿入）できる。
図１７および図２２に示すように、光コネクタ１０を光ファイバケーブル１端末に組み立てる作業では、光ファイバケーブル１端末に固定した引留用固定部材１２０を前記固定部材受け部４３に押し込むとともに、光ファイバケーブル１端末に露出させた光ファイバ２を、ブロック部４２を前後に貫通する前記ファイバ導入孔４２ａに押し込んでいくことで、前記光ファイバ２をユニット部ハウジング５１Ａ内に挿入できる。
【００６２】
ユニット部ハウジング５１Ａは、前記プラグフレーム部３５に、後側ハウジング４０のストップリング部４１の前端部（胴部４１ｅの前端部。ブロック部４２とは反対側の端部）を内嵌めして、前側ハウジング３０と後側ハウジング４０とを一体化したものである。
後側ハウジング４０のストップリング部４１は、その前側の胴部４１ｅをプラグフレーム部３５内側に後側から押し込み、胴部４１ｅ前端部外周に突設されている係合突起４１ａを、プラグフレーム部３５の両側に形成された係止孔３５ａに嵌め込むことで、プラグフレーム部３５に嵌合して固定される。
【００６３】
図１９，図２０に示すように、クランプ部付きフェルール６０は、光ファイバ６２を内挿固定したフェルール６１を有する。フェルール６１に内挿固定した光ファイバ２を、以下、内蔵光ファイバ６２とも言う。この内蔵光ファイバ６２は、前記フェルール６１から後側に突出させた部分（以下、後側突出部６２ａとも言う）を有する。内蔵光ファイバ６２の前端の端面は、フェルール６１先端（前端）の接合端面６１ｂに揃えられている。
【００６４】
クランプ部付きフェルール６０は、前記フェルール６１の後側に、内蔵光ファイバ６２の後側突出部６２ａと、ユニット部ハウジング５１Ａにその後側から挿入して内蔵光ファイバ６２後端に突き当てた光ファイバ２先端部とを把持固定して光ファイバ６２、２同士の突き合わせ接続状態を維持するクランプ部６３を組み立てたものである。
クランプ部６３は、フェルール６１のフランジ部６４から後側に延出するベース部材６７（後側延出片６７）と蓋部材６６、６７とからなる半割り構造の把持用素子部を有する。クランプ部６３は、ベース部材６７（後側延出片６７）と蓋部材６６、６７との間に、内蔵光ファイバ６２の後側突出部６２ａと、内蔵光ファイバ６２後端に突き当てた光ファイバ２先端部とを挟み込んで把持固定することができる。
【００６５】
内蔵光ファイバ６２の後側突出部６２ａは、把持用素子部を構成するベース部材６７（後側延出片６７）と蓋部材６６、６７との間に配置されている。内蔵光ファイバ６２後端に突き当てる光ファイバ２は、クランプ部６３の後側からベース部材６７（後側延出片６７）と蓋部材６６、６７との間に挿入される。内蔵光ファイバ６２と光ファイバ２（具体的にはその先端に口出しされた裸光ファイバ２ａ）とは、ベース部材６７（後側延出片６７）と蓋部材６６、６７との間にて突き合わせ接続される。
【００６６】
光コネクタ１０のユニット部ハウジング５１Ａに挿入して、クランプ部付きフェルール６０の内蔵光ファイバ６２後端に突き合わせ接続する光ファイバ２を、以下、挿入光ファイバとも言う。この実施形態において、前記挿入光ファイバ２は、光ファイバケーブル１の光ファイバ２の、光ファイバケーブル１先端の外被３を除去して光ファイバケーブル１端末から突出状態に露出させた部分を、ユニット部ハウジング５１Ａ内への挿入に用いる。
【００６７】
クランプ部付きフェルール６０のフェルール６１は、ＳＣ形光コネクタ等にて使用されるキャピラリ状の単心用フェルールである。このフェルール６１の材質としては、例えばジルコニア等のセラミック、ガラス等を挙げることができる。
内蔵光ファイバ６２は、ここでは裸光ファイバであり、例えば石英系光ファイバである。この内蔵光ファイバ６２は、前記フェルール６１にその軸線と同軸に貫設された微細孔であるファイバ孔６１ａに内挿され、接着剤を用いた接着固定等によってフェルール６１に固定されている。
【００６８】
フェルール６１の後端部には、その外周に周設（突設）されたフランジ部６４が一体化されている。このフランジ部６４は、例えば、金属、プラスチック等によってリング状に形成されている。
前記クランプ部６３は、前記フランジ部６４からフェルール６１後側へ延出された後側延出片６５と、蓋部材６６、６７とを、金属板を断面Ｃ形あるいはコ字形（図示例では断面Ｃ形）の細長形状に成形したクランプばね６８の内側に一括保持した構成になっている。クランプばね６８は、蓋部材６６、６７を後側延出片６５に向かって弾性付勢する。そして、このクランプ部６３は、前記後側延出片６５と蓋部材６６、６７との間に、内蔵光ファイバ６２の後側突出部６２ａと内蔵光ファイバ６２に突き合わせ接続する光ファイバ２とを、クランプばね６８の弾性によって挟み込んで把持固定するものである。
後側延出片６５と蓋部材６６、６７とは、内蔵光ファイバ６２の後側突出部６２ａと内蔵光ファイバ６２後端に突き当てた光ファイバ２とを把持固定する半割り構造の把持用素子部を構成する。
【００６９】
後側延出片６５は、前記フェルール６１の軸線に沿う方向を長手方向とする細長形状に形成されている。図示例の後側延出片６５は、前記フランジ部６４と一体に形成されており、フェルール６１と一体化されている。
クランプ部６３は、前記後側延出片６５との間に光ファイバ６２、２を把持固定する蓋部材として、前蓋部材６６、及び該前蓋部材６６の後側（前蓋部材６６を介してフェルール６１とは反対の側）の後蓋部材６７の２部材を有している。これら２つの蓋部材６６、６７は、後側延出片６５の長手方向に沿って配列設置されている。
【００７０】
後側延出片６５及び蓋部材６６、６７には互いに対向する対向面が形成されている。クランプ部６３のクランプばね６８は、その弾性によって、後側延出片６５と蓋部材６６、６７とをその対向面同士が接近する方向（すなわち、互いに閉じ合わせる方向）に弾性付勢する。
【００７１】
後側延出片６５の蓋部材６６、６７に対面する対向面６５ａは、前記内蔵光ファイバ６２の後側突出部６２ａを前記フェルール６１のファイバ孔６１ａの後方延長上に位置決めする調心溝６９ａ、及び該調心溝６９ａの後端から後方に延在する被覆部収納溝６９ｂが形成された溝形成面とされている。以下、前記後側延出片６５の蓋部材６６、６７に対面する対向面を溝形成面とも言う。
前記調心溝６９ａは溝形成面６５ａの前記前蓋部材６６に対面する部分に形成され、被覆部収納溝６９ｂは溝形成面６５ａの前記後蓋部材６７に対面する部分に形成されている。また、後側延出片６５の溝形成面６５ａに対面する後蓋部材６７の対向面６７ａにも、後側延出片６５の被覆部収納溝６９ｂに対応する位置に被覆部収納溝６９ｃが延在形成されている。
【００７２】
内蔵光ファイバ６２の後側突出部６２ａは調心溝６９ａに配置されている。内蔵光ファイバ６２の後端（後側突出部６２ａ後端）は、調心溝６９ａの長手方向中央部に配置されている。内蔵光ファイバ６２は、フェルール６１先端の接合端面６１ｂに揃えられた前端と前記後端とを長手方向両端とする短尺の光ファイバである。
前記調心溝６９ａには、挿入光ファイバ２先端の被覆を除去して口出しした裸光ファイバ２ａが、クランプ部付きフェルール６０の後側から、後側延出片６５及び後蓋部材６７の対向面６５ａ、６７ａの互いに対応する位置に形成された被覆部収納溝６９ｂ、６９ｃを介して挿入される。
【００７３】
図２１に示すように、調心溝６９ａはＶ溝であり、内蔵光ファイバ６２の後側突出部６２ａと、挿入光ファイバ２先端の裸光ファイバ２ａとを、突き合わせ接続可能に高精度に位置決め、調心する機能を果たす。調心溝６９ａとしては、Ｖ溝以外に、例えばＵ溝、半円溝なども採用できる。
被覆部収納溝６９ｂ、６９ｃは、挿入光ファイバ２の被覆付き部分（被覆部）を収納するべく、調心溝６９ａに比べて溝幅を若干大きく形成した溝である。被覆部収納溝６９ｂ、６９ｃとしては、特に限定されるものではなく、例えばＵ溝、半円溝、Ｖ溝などを採用できる。
【００７４】
後側延出片６５と前蓋部材６６との間には、挿入光ファイバ２先端の裸光ファイバ２ａの調心溝６９ａへの円滑な挿入を可能とする隙間を確保する介挿片８１が抜き去り可能に介挿されている。また、後側延出片６５と後蓋部材６７との間には、挿入光ファイバ２の被覆部収納溝６９ｂ，６９ｃへの円滑な挿入を可能とする隙間を確保する介挿片８２（図１８参照）が抜き去り可能に介挿されている。
【００７５】
図示例の介挿片８１、８２は薄板状に形成されている。これら介挿片８１、８２は、クランプ部６０のクランプばね６８の弾性によって、後側延出片６５と蓋部材６６、６７との間に挟み込まれている。
図１７、図１８、図２２に示すように、ユニット部ハウジング５１Ａには、その軸線方向（コネクタ前後方向）２箇所に、その内外に介挿片８１、８２を通すための介挿片挿通孔４１ｂが形成されている。図示例の光コネクタ１０において、前記介挿片挿通孔４１ｂは、具体的には、後側ハウジング４０の胴部４１ｅの軸線方向（コネクタ前後方向）２箇所に該胴部４１ｅの肉厚を貫通して形成されている。介挿片８１、８２は、前記介挿片挿通孔４１ｂに挿通され、ユニット部ハウジング５１Ａの外側に突出されている。
【００７６】
介挿片挿通孔４１ｂは、胴部４１ｅのうち、プラグフレーム部３５に覆われた部位を避けて形成されている。図示例の光コネクタ１０において、胴部４１ｅの軸線方向の２箇所に形成された前記介挿片挿通孔４１ｂの一方は、プラグフレーム部３５にその後端から前側へ向かって細長に延在形成された細長切り欠き部３５ｃに連通する位置に形成されている。また、２つの介挿片挿通孔４１ｂの他方は、胴部４１ｅにおいてプラグフレーム部３５後側に位置する部分に形成されている。
【００７７】
また、図示例の介挿片８１、８２は、ユニット部ハウジング５１Ａ外側に突出した部分に、クランプ部６３からの抜き去り作業を容易にするための抜き去り用操作部８１ａ、８２ａが設けられた構成となっている。図示例の抜き去り用操作部８１ａ、８２ａは、介挿片８１、８２に垂直の板状であり、介挿片に一体化されている。介挿片は、抜き去り用操作部８１ａ、８２ａを作業者が手指で把持して引っ張り操作することで、クランプ部６３からの抜き去り作業を手作業で楽に行える。抜き去り用操作部の具体的構成は、介挿片に垂直の板状に限定されず、適宜変更可能である。
【００７８】
図示例の介挿片８１、８２は、板状の抜き去り用操作部の片面側に突設した突片である。
図２２に例示した光コネクタ１０は、クランプ部付きフェルール６０のクランプ部６３の２つの蓋部材６６、６７に対応して、抜き去り用操作部８１ａ、８２ａに介挿片８１、８２を突設した構造の光コネクタ組立用工具８３、８４をひとつづつ設けた構成（工具付き光コネクタ１１０）となっている。但し、抜き去り用操作部に介挿片を突設した構成の光コネクタ組立用工具としては、ひとつの抜き去り用操作部に、クランプ部６３の２つの蓋部材６６、６７に対応して、２つの介挿片を突設した構成のものも採用可能である。
【００７９】
光コネクタ１０は、クランプ部付きフェルール６０のクランプ部６３の後側延出片６５と蓋部材６６、６７との間に、光コネクタ組立用工具の介挿片を抜き去り可能に介挿した工具付き光コネクタ１１０の状態で現場に供給できる。この場合、現場にて後側延出片６５と蓋部材６６、６７との間に介挿片を介挿する作業を省略できる。
【００８０】
また、介挿片としては、薄板状のものに限定されず、例えば柔軟なシート等も採用可能である。
図２２に例示したように、先端が先細りのテーパ状に形成された板状（薄板状）の介挿片は、後側延出片６５と蓋部材６６、６７との間の境界に押圧するだけで割り込ませる（介挿する）ことができる。このため、後側延出片６５と蓋部材６６、６７との間に介挿片を割り込ませる（介挿する）作業を、例えば光コネクタ１０の光ファイバへの組み立て作業を行う現場にて行うことも容易である。
【００８１】
プラグフレーム部３５に内嵌めして固定されている胴部４１ｅの前端面４１ｆは、前側ハウジング３０の前記段差面３６の後側に離隔した位置に配置されている。クランプ部付きフェルール６０のフランジ部６４は、プラグフレーム部３５の内側孔内において、前側ハウジング３０の前記段差面３６と胴部４１ｅ前端との間に収納されている。
【００８２】
図示例の結合ユニット部５０Ａは、クランプ部付きフェルール６０のフェルール６１に外挿して、前記位置決めスリーブ５２と、フェルール６１のフランジ部６４との間に介挿したスペーサリング５４を有する。このスペーサリング５４の内径及び外径は、位置決めスリーブ５２（フェルール６１が内挿されている状態の位置決めスリーブ５２）の内径及び外径と概ね同じに揃えられている。
【００８３】
位置決めスリーブ５２の軸線方向寸法とスペーサリング５４の軸線方向寸法の合計は、貫通孔３３の前記抜け止め突起３２ａから後側の部分の軸線方向寸法と同じに揃えてある。クランプ部付きフェルール６０は、そのフランジ部６４が前側ハウジング３０の前記段差面３６に当接する位置が前側ハウジング３０に対する前側移動限界位置となっている。
また、クランプ部付きフェルール６０が前側移動限界位置にあるとき、クランプ部付きフェルール６０のフランジ部６４（具体的にはその前側面６４ｄ）にスペーサリング５４の後端面が当接し、前側ハウジング３０の突筒部３２前端の抜け止め突起３２ａに位置決めスリーブ５２の軸線方向片端（前端）が当接する。
【００８４】
なお、位置決めスリーブ５２の軸線方向寸法とスペーサリング５４の軸線方向寸法の合計は、貫通孔３３の主孔部の軸線方向寸法と厳密に同じに揃える必要はなく、例えば、貫通孔主孔部の軸線方向寸法に比べて僅かに短い寸法としても良い。
また、結合ユニット部５０Ａとしては、スペーサリング５４を省略して、軸線方向寸法が貫通孔主孔部の軸線方向寸法と同じあるいは僅かに短い長さの位置決めスリーブ５２を採用した構成としても良い。
【００８５】
クランプ部付きフェルール６０は、前記ストップリング部４１の胴部４１ｅ内に収納されたクランプ部６３の把持用素子部の後端部と、後側ハウジング４０のブロック部４２との間に介挿されたスプリング５３によってコネクタ前側へ弾性付勢され、前記前側移動限界に配置されている。また、前側移動限界位置のクランプ部付きフェルール６０のフランジ部６４は、胴部４１ｅ前端から前側へ離隔した位置に配置される。クランプ部付きフェルール６０は、前記スプリング５３の弾性付勢力に抗して、スプリング５３を押し縮めつつ、前記前側移動限界位置からユニット部ハウジング５１Ａに対して後側へ押し込み可能である。
【００８６】
なお、図示例の結合ユニット部５０Ａは、クランプ部付きフェルール６０のユニット部ハウジング５１Ａに対する前側移動限界位置から後側への押し込みよってスプリング５３が圧縮限界に達したときに、クランプ部付きフェルール６０のフランジ部６４がストップリング部４１の胴部４１ｅ前端に当接せず、フランジ部６４と胴部４１ｅ前端との間にクリアランスが確保される構成となっている。つまり、クランプ部付きフェルール６０は、スプリング５３が圧縮限界に達したときの位置がユニット部ハウジング５１Ａに対する押し込み限界位置となっている。
【００８７】
スプリング５３は具体的にはコイルスプリングであり、その内側に、クランプ部６３の把持用素子部の後側延出片６５及び後蓋部材６７の後端部にそれぞれ突片状に形成された後側張出部６５ｂ、６７ｂを収納している。後側延出片６５及び後蓋部材６７は、それぞれ後側に張り出す前記後側張出部６５ｂ、６７ｂを含む。
【００８８】
図１９，図２０に示すように、後側延出片６５及び後蓋部材６７の互いに対面する対向面６５ａ、６７ａの一部は、後側張出部６５ｂ、６７ｂに形成されている。後側張出部６５ｂ、６７ｂには、被覆部収納溝６９ｂ、６９ｃの後端部をテーパ状に拡張したテーパ状開口部６９ｂｗ、６９ｃｗが形成されている。被覆部収納溝６９ｂ、６９ｃのテーパ状開口部６９ｂｗ、６９ｃｗは、後側張出部６５ｂ、６７ｂの後端面に開口している。
後側延出片６５及び後蓋部材６７の後側張出部６５ｂ、６７ｂはクランプ部６３のクランプばね６８から後側に突出されている。
【００８９】
後側張出部６５ｂ、６７ｂは、後側延出片６５、後蓋部材６７における該後側張出部６５ｂ、６７ｂから前側の部分に比べて細い突片状に形成したものである。後側延出片６５及び後蓋部材６７には、後側張出部６５ｂ、６７ｂとその前側部分との境界に段差面６５ｃ、６７ｃが形成されている。なお、後側延出片６５及び後蓋部材６７の段差面６５ｃ、６７ｃは、後側延出片６５、後蓋部材６７の後端部に形成されている。
【００９０】
スプリング５３は、その中心軸線がユニット部ハウジング５１Ａの中心軸線（本実施形態では、前側ハウジング３０の貫通孔３３の中心軸線と一致）と平行の向きでストップリング部４１の胴部４１ｅの内側孔内に収納され、後側延出片６５及び後蓋部材６７の段差面６５ｃ、６７ｃと、後側ハウジング４０のブロック部４２との間に介挿されている。
後側延出片６５及び後蓋部材６７の後端部の段差面６５ｃ、６７ｃは、スプリング５３の前端が当接されるスプリング受け面として機能する。
【００９１】
後側ハウジング４０のストップリング部４１の胴部４１ｅの内側孔は、ブロック部４２のファイバ導入孔４２ａに比べて大きい断面積で、ファイバ導入孔４２ａと同軸に延在形成されている。図示例の後側ハウジング４０の胴部４１ｅの内側孔及びファイバ導入孔４２ａは具体的には丸孔であり、胴部４１ｅの内側孔はファイバ導入孔４２ａに比べて径大に形成されている。ブロック部４２は、胴部４１ｅの内側孔に臨む部分の中央部に突設されたリング状突起４２ｂを有している。ファイバ導入孔４２ａの前端は、前記リング状突起４２ｂの突端（前端）に開口している。
【００９２】
スプリング５３の後端部は、ブロック部４２の前記リング状突起４２ｂに外挿され、ブロック部４２前端部のうち前記リング状突起４２ｂの周囲の胴部４１ｅの内側孔に臨む部位によってリング状に確保されたスプリング受け面４２ｃに当接されている。
前記スプリング５３は、具体的には、クランプ部付きフェルール６０の後側張出部６５ｂ、６７ｂの段差面６５ｃ、６７ｃとブロック部４２のスプリング受け面４２ｃとの間に介挿されている。そしてスプリング５３は、前記ブロック部４２に反力をとって、クランプ部付きフェルール６０をユニット部ハウジング５１Ａに対して前方へ向かって弾性付勢している。
【００９３】
クランプ部付きフェルール６０が前側移動限界位置にあるとき、後側延出片６５及び後蓋部材６７の後側張出部６５ｂ、６７ｂ後端は、ブロック部４２（詳細にはリング状突起４２ｂ）から前側へ離隔した位置に配置される。このときの後側張出部６５ｂ、６７ｂ後端とブロック部４２との間の離隔距離ｃ２は、クランプ部付きフェルール６０のユニット部ハウジング５１Ａに対する前側移動限界位置から押し込み限界位置までの移動量（移動距離）に比べて大きく（長く）設定されている。このため、クランプ部付きフェルール６０は、ユニット部ハウジング５１Ａに対する前側移動限界位置から押し込み限界位置に移動されたときに、ブロック部４２から前側へ離隔した位置に配置され、ブロック部４２に当接しない。
【００９４】
なお、図１４に示すように、前側移動限界位置にあるクランプ部付きフェルール６０のフランジ部６４とストップリング部４１の胴部４１ｅ前端との間の離隔距離は、クランプ部付きフェルール６０のユニット部ハウジング５１Ａに対する前側移動限界位置から押し込み限界位置までの移動量（移動距離）に比べて大きく（長く）設定されている。クランプ部付きフェルール６０は、ユニット部ハウジング５１Ａに対して前側移動限界位置と押し込み限界位置との間で前後動可能となっている。
【００９５】
図１９、図２０に示すように、クランプ部付きフェルール６０のフランジ部６４の外周部の複数箇所（図示例では２箇所）にはキー溝６４ａが形成されている。クランプ部付きフェルール６０は、フランジ部６４のキー溝６４ａに、前側ハウジング３０のプラグフレーム部３５の前端部内面に突設されているキー３５ｂを収納して、ユニット部ハウジング５１Ａに対して回り止めして組み込まれている。
【００９６】
結合ユニット部５０Ａは、ストップリング部４１の胴部４１ｅ内にスプリング５３、及びクランプ部付きフェルール６０のクランプ部６３を挿入した構成の後部組立ユニットを組み立て、この後部組立ユニットのストップリング部４１の胴部４１ｅをプラグフレーム部３５にその後側から押し込んで嵌合する組立方法を採用できる。この組立方法は、プラグフレーム部３５に挿入した胴部４１ｅをプラグフレーム部３５に嵌合させることで、ユニット部ハウジング５１Ａにクランプ部付きフェルール６０及びスプリング５３を収納した状態に結合ユニット部５０Ａを組み立てることができる。
【００９７】
この組立方法の場合、後部組立ユニットのストップリング部４１の胴部４１ｅをプラグフレーム部３５に挿入することで、クランプ部付きフェルール６０のうち、ストップリング部４１の胴部前端から突出した部分を前記胴部４１ｅとともにプラグフレーム部３５に挿入できる。すなわち、後部組立ユニットのストップリング部４１の胴部４１ｅをプラグフレーム部３５に挿入することで、クランプ部付きフェルール６０のフェルール６１及びフランジ部６４を前記胴部４１ｅとともにプラグフレーム部３５に挿入できる。
【００９８】
なお、位置決めスリーブ５２及びスペーサリング５４は、例えば、クランプ部付きフェルール６０のフェルール６１に外挿した状態で、フェルール６１とともに前側ハウジング３０の貫通孔３３に内挿する。但し、これに限定されず、貫通孔３３に挿入しておいた位置決めスリーブ５２及びスペーサリング５４にクランプ部付きフェルール６０のフェルール６１を内挿しても良い。
【００９９】
図１９、図２０に示すように、図示例のクランプ部付きフェルール６０のフランジ部６４には、その後面６４ｂから後側に突出する突起６４ｃ（以下、フランジ後部キーとも言う）が形成されている。クランプ部６３をストップリング部４１の胴部４１ｅに挿入したクランプ部付きフェルール６０は、フランジ部６４の前記フランジ後部キー６４ｃを、前記胴部４１ｅにその前端面４１ｆから窪む切り欠き状に形成された回り止め凹部４１ｃ（図１７参照）に挿入して、ストップリング部４１に対する軸線回り方向の回転を規制（回り止め）する。これにより、プラグフレーム部３５に胴部４１ｅを挿入したストップリング部４１のプラグフレーム部３５の軸線回り方向の向き調整によって、クランプ部付きフェルール６０のプラグフレーム部３５の軸線回り方向の向き調整を行える。その結果、クランプ部付きフェルール６０のフランジ部６４のキー溝６４ａにプラグフレーム部３５前端内側のキー３５ｂを収納する作業を楽に行える。
【０１００】
ストップリング部４１は、胴部４１ｅに形成された前記介挿片挿通孔４１ｂを目印にして、プラグフレーム部３５に対するその軸線回り方向の向きの調整を行える。胴部４１ｅにクランプ部付きフェルール６０のクランプ部６３が挿入されたストップリング部４１は、胴部４１ｅの軸線方向の２箇所に形成された前記介挿片挿通孔４１ｂのうち前側のものを、プラグフレーム部３５の細長切り欠き部３５ｃに連通する位置とすることで、クランプ部付きフェルール６０のフランジ部６４のキー溝６４ａにプラグフレーム部３５のキー３５ｂを収納する作業を楽に行える。
【０１０１】
後側ハウジング４０のプラグフレーム部３５に対する嵌合は、プラグフレーム部３５に挿入した胴部４１ｅ前端外周の係合突起４１ａ（図１７参照）をプラグフレーム部３５の係止孔３５ａに嵌め込むことで達成される。但し、胴部４１ｅの係合突起４１ａのプラグフレーム部３５の係止孔３５ａへの嵌め込みは、クランプ部付きフェルール６０のフェルール６１の前側ハウジング３０の貫通孔３３への挿入、及びクランプ部付きフェルール６０のフランジ部６４のキー溝６４ａにプラグフレーム部３５前端内側のキー３５ｂが挿入されないと実現できない。
【０１０２】
後側ハウジング４０がプラグフレーム部３５から離脱状態にあるとき、クランプ部６３を胴部４１ｅに挿入したクランプ部付きフェルール６０のフランジ部６４は、胴部前端面４１ｆからブロック部４２とは反対の前方へ離隔した位置に配置される。クランプ部付きフェルール６０のストップリング部４１に対する押し込み限界位置は、胴部４１ｅ内のクランプ部６３と後側ハウジング４０のブロック部４２との間に介挿されているスプリング５３が圧縮限界に達する位置である。クランプ部付きフェルール６０がストップリング部４１に対する押し込み限界位置にあるとき、クランプ部付きフェルール６０のフランジ部６４の後面６４ｂは、胴部前端面４１ｆに当接せず、胴部前端面４１ｆから前方に離隔した位置に配置される。また、胴部４１ｅ前端の回り止め凹部４１ｃは、前記押し込み限界位置に配置されたクランプ部付きフェルール６０のフランジ部６４の前記フランジ後部キー６４ｃが、該回り止め凹部４１ｃ奥端（後端）の内面（奥底面４１ｄ）が当接せず、該奥底面４１ｄから前側へ離隔して配置されるように、胴部前端面４１ｆからの形成深さを調整してある。
【０１０３】
また、クランプ部付きフェルール６０のフランジ部６４の複数のフランジ後部キー６４ｃのうち１以上は、スプリング５３が圧縮変形されていない状態において、胴部４１ｅの回り止め凹部４１ｃに対する挿入状態を確保できるように、フランジ部６４の後面６４ｂから後側への突出寸法を設定してある。
図示例の結合ユニット部５０Ａにおいては、フランジ部６４の周方向に互いに離隔する２箇所に突設されたフランジ後部キー６４ｃのフランジ部後面６４ｂからの突出寸法を互いに異ならせてある。そして、前記結合ユニット部５０Ａは、フランジ部後面６４ｂからの突出寸法が大きい方のフランジ後部キー６４ｃのみ、スプリング５３が圧縮変形されていない状態において、胴部４１ｅの回り止め凹部４１ｃに対する挿入状態を確保できるようにしてある。
【０１０４】
図１９、図２０に示すように、フランジ後部キー６４ｃは、フランジ部６４の周方向の複数箇所（図示例では２箇所）に形成されている。図示例のクランプ部付きフェルール６０のキー溝６４ａは、フランジ部６４の前側面６４ｄからフランジ後部キー６４ｃにも切り込んで、フランジ部後面６４ｂの後方にまで延在形成されている。
キー溝６４ａは、クランプ部付きフェルール６０が前側移動限界位置にあるときに、該キー溝６４ａに挿入されたプラグフレーム部３５のキー３５ｂが、前記フランジ後部キー６４ｃの前記キー溝６４ａ後側を塞ぐ部分に当接せず、該部分から前側に離隔して配置されるように、フランジ部６４の前側面６４ｄから後側への延在長を設定してある。
【０１０５】
図２２に示すように、光ファイバケーブル１端末への光コネクタ１０の組み立ては、工具付き光コネクタ１１０を用いる。そして、まず、既述のように、光ファイバケーブル１端末に固定した引留用固定部材１２０を、光コネクタ１０（工具付き光コネクタ１１０）の結合ユニット部５０Ａの前記固定部材受け部４３に押し込む。これにより、光ファイバケーブル１端末に露出させた光ファイバ２を、前記固定部材受け部４３前側のブロック部４２を前後に貫通する前記ファイバ導入孔４２ａ（図１７参照）からユニット部ハウジング５１Ａ内に送り込んでいく。
【０１０６】
引留用固定部材１２０は、光ファイバケーブル１端末の外周を取り囲むようにして設けられ、該端末に固定、一体化されている。光ファイバケーブル１端末に露出させた光ファイバ２は、光ファイバケーブル１端末と該端末に固定した引留用固定部材１２０とからなる固定部材付きケーブル端末１ａから突出されている。固定部材付きケーブル端末１ａは、引留用固定部材１２０からその後側へ光ファイバケーブル１が延出し、引留用固定部材１２０から前側へ光ファイバ２が突出する構成となっている。
ブロック部４２のファイバ導入孔４２ａ（図１７参照）への光ファイバ２の送り込みは、固定部材付きケーブル端末１ａを固定部材受け部４３後方からブロック部４２に接近させるように前進させ、固定部材受け部４３に押し込んでいくことで実現される。
【０１０７】
図示例の後側ハウジング４０のブロック部４２には、その後端から前側へ向かってテーパ状に窪むテーパ状凹所４２ｄが形成されている。ブロック部４２のファイバ導入孔４２ａの後端は、テーパ状凹所４２ｄの前端部（ブロック部４２を後側から見たときの奥端部）に開口している。
テーパ状凹所４２ｄは、固定部材付きケーブル端末１ａから突出する光ファイバ２の先端をファイバ導入孔４２ａに導いてファイバ導入孔４２ａへの挿入を円滑にする機能を果たす。
【０１０８】
ここで、光ファイバ２としては、予め、先端に裸光ファイバ２ａを口出ししたものを用いる。ブロック部４２のファイバ導入孔４２ａに挿入した光ファイバ２は、コネクタ前側への送り込みによって、ファイバ導入孔４２ａ前端からスプリング５３内側を介して、クランプ部付きフェルール６０のクランプ部６３後端に開口する被覆部収納溝６９ｂ、６９ｃに挿入される。また、光ファイバ２は、コネクタ前側への送り込みによって、裸光ファイバ２ａを被覆部収納溝６９ｂ、６９ｃから前記クランプ部６３の調心溝６９ａに挿入できる。この光コネクタ１０は、光ファイバ２を、ブロック部４２後側からファイバ導入孔４２ａに送り込んでいくだけで、裸光ファイバ２ａ先端を内蔵光ファイバ６２後端に突き当てる（突き合わせ接続する）ことができる。
【０１０９】
図１７、図２２等に示すように、ブロック部４２の前記固定部材受け部４３は、ブロック部４２から後方へ延出しコネクタ前後方向を長手方向とする細長板状の底板部４３ａの幅方向両側に、該底板部４３ａの長手方向に沿って延在する側板部４３ｂを立設した、断面コ字形に形成されている。
ここで、光ファイバ２をブロック部４２のファイバ導入孔４２ａに挿入する作業を、図２２に示すように、光コネクタ１０を、固定部材受け部４３の一対の側板部４３ｂが底板部４３ａ上に位置する向きとして行う場合について説明する。光コネクタ１０について、図２２、図２４（ａ）、（ｂ）において上側を上、下側を下として説明する。また、光コネクタ１０、結合ユニット部５０Ａについて、後側ハウジング４０の固定部材受け部４３の一対の側板部４３ｂの間隔方向を左右方向として説明する。
【０１１０】
図１７、図２２に示すように、図示例の光コネクタ１０の結合ユニット部５０Ａの後側ハウジング４０には、固定部材付きケーブル端末１ａの、固定部材受け部４３後方からブロック部４２に接近する前進を案内する挿入補助スライダ４５が設けられている。この挿入補助スライダ４５は、後側ハウジング４０の固定部材受け部４３の底板部４３ａ上に前後方向に移動可能に設けられている。
【０１１１】
また、後側ハウジング４０には、固定部材受け部４３に押し込んだ固定部材付きケーブル端末１ａを引き留めて、固定部材受け部４３から後側への脱落を規制する引き留めカバー４６が設けられている。
光コネクタ１０の結合ユニット部５０Ａのユニット部ハウジング５１Ａは、後側ハウジング４０に前記挿入補助スライダ４５及び前記引き留めカバー４６を設けてなる後部ユニット４４を有している。
【０１１２】
図１７、図２２、図２４（ａ）に示すように、挿入補助スライダ４５は、固定部材受け部４３の底板部４３ａ上に前後方向に移動可能に設けられた細長形状のスライダ本体４５ａを有している。前記スライダ本体４５ａは、その長手方向を結合ユニット部５０Ａのユニット部ハウジング５１Ａにその前後方向に揃えて、固定部材受け部４３の底板部４３ａ上に重ね合わせて設けられ、底板部４３ａ上を前後方向にスライド移動する。
【０１１３】
また、前記挿入補助スライダ４５は、スライダ本体４５ａの後端部上に突設した押圧用突起４５ｂを有している。この挿入補助スライダ４５は、スライダ本体４５ａの前記押圧用突起４５ｂから後側に延出する部分である載せ台部４５ｃ上に固定部材付きケーブル端末１ａを載置できる。前記押圧用突起４５ｂには、前記載せ台部４５ｃ上に載置した固定部材付きケーブル端末１ａの引留用固定部材１２０前端（光ファイバケーブル１が延出する引留用固定部材１２０後端とは反対の側）を、押圧用突起４５ｂの後側から当接できる。
【０１１４】
図２４（ａ）に示すように、この挿入補助スライダ４５のスライダ本体４５ａは、ブロック部４２下部を前後に貫通するスライダ挿通孔４７にその後側から挿入可能である。挿入補助スライダ４５は、ブロック部４２の後側に配置された前記押圧用突起４５ｂが、ブロック部４２におけるテーパ状凹所４２ｄとスライダ挿通孔４７との間の中間壁部４２ｅの後端に当接する位置まで後側ハウジング４０に対して前進可能である。挿入補助スライダ４５は、前記押圧用突起４５ｂが前記ブロック部４２（具体的には中間壁部４２ｅ後端）にその後側から当接する位置が、ユニット部ハウジング５１Ａに対する前側移動限界位置となっている。
挿入補助スライダ４５は、ユニット部ハウジング５１Ａに対して前記前側移動限界位置から後側へスライド移動可能であり、このスライド移動によって、前記押圧用突起４５ｂ及び載せ台部４５ｃを前記ブロック部４２から後側へ離隔した位置に配置できる。
【０１１５】
図示例の光コネクタ１０にあっては、挿入補助スライダ４５は、後側ハウジング４０（ユニット部ハウジング５１Ａ）に対する前側移動限界位置に配置したとき、スライダ本体４５ａの後端（載せ台部４５ｃ後端）の結合ユニット部５０Ａにおける前後方向の位置が、固定部材受け部４３の底板部４３ａ後端と概ね揃う。
挿入補助スライダ４５を利用して光ファイバ２をブロック部４２のファイバ導入孔４２ａから結合ユニット部５０Ａ内に送り込んでいく作業は、図２２、図２４（ａ）に示すように、挿入補助スライダ４５を後側ハウジング４０に対して前側移動限界位置から適宜後側にずれた位置に配置し、固定部材付きケーブル端末１ａの引留用固定部材１２０をスライダ本体４５ａの載せ台部４５ｃ上に載置する。そして、固定部材付きケーブル端末１ａをブロック部４２からの距離を縮めるように前進させ、光ファイバケーブル１端末から突出させておいた光ファイバ２を、ブロック部４２のファイバ導入孔４２ａから結合ユニット部５０Ａ内に送り込んでいく。
【０１１６】
固定部材付きケーブル端末１ａは引留用固定部材１２０前端によって押圧用突起４５ｂを押圧しながら前進する。このため、固定部材付きケーブル端末１ａの前進に伴い、挿入補助スライダ４５も後側ハウジング４０に対して前進動する。
後述のように、固定部材付きケーブル端末１ａは、挿入補助スライダ４５が後側ハウジング４０に対する前側移動限界位置に達する前に、後側ハウジング４０に対する前進限界位置に到達する。このため、固定部材付きケーブル端末１ａの引留用固定部材１２０をスライダ本体４５ａの載せ台部４５ｃ上に載置する際には、固定部材付きケーブル端末１ａの引留用固定部材１２０が前記前進限界位置よりも後方から挿入補助スライダ４５の押圧用突起４５ｂを押圧しながら前進を開始するように、挿入補助スライダ４５をその前側移動限界位置から後側へのずれ量を確保した位置に配置する。
【０１１７】
図２２に示すように、引留用固定部材１２０の両側に突設された案内用突部１２８が突設されている。図１７に示すように、図示例の後側ハウジング３０の固定部材受け部４３の、両側の側板部４３ｂの互いに対面する内面側には、引留用固定部材１２０の両側の案内用突部１２８が挿入される突部ガイド溝４３ｄが前後方向に延在形成されている。固定部材付きケーブル端末１ａは、引留用固定部材１２０の案内用突部１２８が前記突部ガイド溝４３ｄの前端の段差面４３ｅ（図１７参照）に突き当たる位置が、後側ハウジング３０に対する前進限界位置となっている。
【０１１８】
固定部材付きケーブル端末１ａが前進限界位置に達したとき、挿入補助スライダ４５は、押圧用突起４５ｂが後側ハウジング４０のブロック部４２に当接する前側移動限界位置には到達しない。挿入補助スライダ４５は、固定部材付きケーブル端末１ａが前進限界位置に達したとき、押圧用突起４５ｂが、固定部材付きケーブル端末１ａの引留用固定部材１２０とブロック部４２との間にて後側ハウジング４０に対して前後動可能に配置される。
【０１１９】
固定部材付きケーブル端末１ａから突出する光ファイバ２は、固定部材付きケーブル端末１ａが前進によって前進限界位置に到達したときに、該光ファイバ２の先端に口出ししておいた裸光ファイバ２ａの内蔵光ファイバ６２後端に対する突き合わせ接続状態を確保できるように、光ファイバケーブル１端末から裸光ファイバ２ａ先端までの突出長を調整しておく。
【０１２０】
固定部材付きケーブル端末１ａは、挿入補助スライダ４５の前記載せ台部４５ｃ上に載置したときに、光ファイバケーブル１端末から突出する光ファイバ２を、ブロック部４２のファイバ導入孔４２ａの後方延長上に延在する状態に配置できる。
前側移動限界位置から後側にずれた位置に配置した挿入補助スライダ４５の載せ台部４５ｃに載置した固定部材付きケーブル端末１ａを前進させたとき、挿入補助スライダ４５は、固定部材受け部４３の底板部４３ａとその両側の側板部４３ｂとによって案内されながら前進する。その結果、固定部材付きケーブル端末１ａは、光ファイバケーブル１端末から突出する光ファイバ２がブロック部４２のファイバ導入孔４２ａの後方延長上に位置する状態を保ったまま前進する。このため、挿入補助スライダ４５を利用して行う、光ファイバ２のファイバ導入孔４２ａへの送り込み作業は、例えば固定部材付きケーブル端末１ａの前進中に、光ファイバ２が前記ファイバ導入孔４２ａの軸線に対して大きく傾動して折損するといった不都合を防止でき、光ファイバ２のファイバ導入孔４２ａへの送り込み作業を円滑に行える。
【０１２１】
図２３は、引留用固定部材１２０の具体例を示す。
ここでは、引留用固定部材１２０として、光ファイバケーブル１端末をその両側から把持して光ファイバケーブル１端末に固定して取り付けられる外被把持部材を用いている。
以下、引留用固定部材１２０が外被把持部材を指す場合、引留用固定部材１２０を外被把持部材とも言う。
この外被把持部材１２０は、光ファイバケーブル１を嵌め込むケーブル嵌合溝１２２が形成された断面コ字形の把持ベース１２１と、前記把持ベース１２１のケーブル嵌合溝１２２の溝幅方向両側の側壁部１２５の一方に枢着された押さえ蓋１２３とを有する。
【０１２２】
この外被把持部材１２０は、把持ベース１２１の一対の側壁部１２５の互いに対向する面に複数突設した把持用突起１２５ｃを、ケーブル嵌合溝１２２に嵌め込まれた光ファイバケーブル１の外被３に食い込ませて、一対の側壁部１２５の間に光ファイバケーブル１を把持固定できる。把持ベース１２１は、底壁部１２４の片面側に突設された一対の側壁部１２５の間に前記ケーブル嵌合溝１２２が確保された断面コ字形の部材である。ケーブル嵌合溝１２２の溝幅方向は、該ケーブル嵌合溝１２２を介して両側の側壁部１２５の間隔方向を指す。なお、図示例の外被把持部材１２０の把持用突起１２５ｃは、ケーブル嵌合溝１２２の深さ方向に延在する断面三角形状の突条に形成されている。
【０１２３】
そして、この外被把持部材１２０は、前記押さえ蓋１２３が他方の側壁部１２５から離隔する開放状態にて把持ベース１２１を光ファイバケーブル１端末に外嵌めして固定した後、押さえ蓋１２３を把持ベース１２１の一対の側壁部１２５の底壁部１２４とは反対側の端部間におけるケーブル嵌合溝１２２の開口部を閉じる閉位置に回動し、該押さえ蓋１２３を他方の側壁部１２５に係止して、光ファイバケーブル１端末に取り付けられる。
【０１２４】
図示例の外被把持部材１２０はプラスチック製の一体成形品である。前記押さえ蓋１２３は、一対の側壁部１２５の一方（以下、第１側壁部とも言う。図中符号１２５ａを付記する）の突端に、ヒンジ部として機能する薄肉部１２６を介して繋がっている。この押さえ蓋１２３は、前記薄肉部１２６によって、前記ケーブル嵌合溝１２２の延在方向に沿う軸線を以て、把持ベース１２１の第１側壁部１２５ａに対して回転可能に枢着されている。なお、把持ベース１２１の一対の側壁部１２５の他方について、以下、第２側壁部１２５ｂとも言う。
【０１２５】
図示例の外被把持部材１２０の押さえ蓋１２３はＬ字板状に形成されている。この押さえ蓋１２３は、前記薄肉部１２６を介して把持ベース１２１の第１側壁部１２５ａに枢着されている天板部１２３ａと、この天板部１２３ａの前記薄肉部１２６とは反対側の端部から該天板部１２３ａに垂直に形成された係止板部１２３ｂとを有する。この押さえ蓋１２３は、前記天板部１２３ａを把持ベース１２１の一対の側壁部１２５の突端に当接してケーブル嵌合溝１２２の開口部を閉じる閉じ位置に配置したときに、前記係止板部１２３ｂを把持ベース１２１の第２側壁部１２５ｂのケーブル嵌合溝１２２とは反対側の外面に重ね合わせることができる。そして、押さえ蓋１２３は、前記係止板部１２３ｂに形成されている係止用窓孔１２３ｃに、把持ベース１２１の第２側壁部１２５ｂ外面に突設されている係止用爪１２５ｄを入り込ませることで把持ベース１２１に係止され、把持ベース１２１に対する閉じ状態を安定維持できる。
【０１２６】
図示例の外被把持部材１２０（引留用固定部材）は、前記把持ベース１２１のケーブル嵌合溝１２２の延在方向に沿う前後方向の片端から突出する一対の前側突壁部１２７を有している。一対の前側突壁部１２７は、把持ベース１２１の両側の側壁部１２５ａ、１２５ｂから、該側壁部１２５ａ、１２５ｂを把持ベース１２１前後方向に沿って延長するように突出する板片状に形成されている。以下、外被把持部材１２０について、前記前側突壁部１２７の側を前、反対側を後として説明する。
【０１２７】
図示例の外被把持部材１２０の一対の前側突壁部１２７には、後側ハウジング３０の固定部材受け部４３（図３参照）の両側の側板部４３ｂに前後方向に延在形成された突部ガイド溝４３ｄに挿入される案内用突部１２８が突設されている。前側突壁部１２７において、前記案内用突部１２８は、一対の前側突壁部１２７の互いに対面する内面側とは反対の外面側に突設されている。
【０１２８】
なお、外被把持部材としては、図示例の構成に限定されない。外被把持部材としては、例えば、押さえ蓋を、前記係止板部１２３ｂを省略し、前記天板部１２３ａに、把持ベース１２１の第２側壁部１２５ｂの突端に係合する係合部を設けた構造の押さえ蓋に変更した構成等も採用可能である。また、外被把持部材としては、把持ベースのみからなる構成も採用可能である。また、外被把持部材としては、プラスチック製の一体成形品に限定されず、複数部材によって組み立てた構成のものも採用可能である。
引留用固定部材としては、外被把持部材に限定されず、例えば光ファイバケーブル１端末外周に接着剤による接着固定、熱溶着などによって固定する部材などであっても良い。
【０１２９】
図２２に示すように、引留用固定部材として前記外被把持部材１２０を用いて構成した固定部材付きケーブル端末１ａは、その光ファイバケーブル１端末から突出する挿入光ファイバ２を結合ユニット部５０Ａのブロック部４２のファイバ導入孔４２ａに送り込んでいく作業において、外被把持部材１２０の前側突壁部１２７が前側（ブロック部４２側）となる向きで、挿入補助スライダ４５の前記載せ台部４５ｃ上に載置する。固定部材付きケーブル端末１ａは、外被把持部材１２０の前後方向（把持ベース１２１前後方向）を結合ユニット部５０Ａの前後方向に揃えて載せ台部４５ｃ上に載置する。
【０１３０】
挿入補助スライダ４５の押圧用突起４５ｂは、細長板状のスライダ本体４５ａの幅方向（結合ユニット部５０Ａの左右方向と一致）両側に突設されている。スライダ本体４５ａ上に突設された一対の押圧用突起４５ｂは、外被把持部材１２０の一対の前側突壁部１２７の間隔に応じた間隔で、スライダ本体４５ａの幅方向に互いに離隔して設けられている。固定部材付きケーブル端末１ａは、載せ台部４５ｃ上に載置して前進（ブロック部４２からの距離を縮める）させたときに、外被把持部材１２０の前記前側突壁部１２７の前端によって、挿入補助スライダ４５の一対の押圧用突起４５ｂを押圧する。
固定部材付きケーブル端末１ａが前進によって前進限界位置に到達したときには、光ファイバケーブル１端末から突出する光ファイバ２先端の裸光ファイバ２ａが、クランプ部付きフェルール６０の内蔵光ファイバ６２後端に突き合わせ接続された状態となる。
【０１３１】
光ファイバケーブル１端末への光コネクタ１０の組み立ては、まず、前側移動限界位置から後側にずれた位置に配置した挿入補助スライダ４５の載せ台部４５ｃに載置した固定部材付きケーブル端末１ａをユニット部ハウジング５１Ａ（具体的には後側ハウジング４０）に対する前進限界位置まで前進させる。これにより、光ファイバケーブル１端末から突出する光ファイバ２を、ブロック部４２のファイバ導入孔４２ａからクランプ部付きフェルール６０の被覆部収納溝６９ｂ、６９ｃを介して調心溝６９ａに送り込み、光ファイバ２先端の裸光ファイバ２ａを内蔵光ファイバ６２後端に突き合わせ接続する。
固定部材付きケーブル端末１ａは、前進によって、後側ハウジング４０の固定部材受け部４３にその前側のブロック部４２に向かって押し込まれ、前進限界位置に到達したときには固定部材受け部４３内側に収納される。
【０１３２】
次いで、後側ハウジング４０に枢着されている引き留めカバー４６（後述）の後側ハウジング４０に対する回動操作によって、固定部材受け部４３内側の固定部材付きケーブル端末１ａにその上側から引き留めカバー４６を被せる。これにより、図２４（ａ）仮想線に示すように、引き留めカバー４６に設けられている後退規制片４６ｆ（後述）を、固定部材付きケーブル端末１ａの引留用固定部材１２０（図示例では外被把持部材）の後端に当接させ、固定部材付きケーブル端末１ａの前進限界位置からの後退を規制する。その結果、クランプ部付きフェルール６０の内蔵光ファイバ６２に対する光ファイバ２（具体的にはその先端に口出しした裸光ファイバ２ａ）の突き合わせ接続状態を保つ。
【０１３３】
次に、クランプ部付きフェルール６０のクランプ部６３から、該クランプ部６３の半割り状の把持用素子部を構成する後側延出片６５と蓋部材６６、６７との間に介挿されている介挿片８１、８２を抜き去る。
その結果、クランプ部付きフェルール６０のクランプばね６８の弾性によって、後側延出片６５と前蓋部材６６との間に光ファイバ２先端の裸光ファイバ２ａが把持固定され、後側延出片６５と後蓋部材６７との間に光ファイバ２の被覆２ｂ付き部分（被覆部）が把持固定される。これにより、クランプ部付きフェルール６０の内蔵光ファイバ６２に対する光ファイバ２（具体的にはその先端に口出しした裸光ファイバ２ａ）の突き合わせ接続状態を安定に保つことができる。
【０１３４】
前蓋部材６６には、後側延出片６５の対向面６５ａに対面する平坦な対向面６６ａが形成されている。クランプ部付きフェルール６０のクランプ部６３の半割り状の把持用素子部を構成する後側延出片６５と蓋部材６６、６７との間から介挿片８１、８２を抜き去ると、前蓋部材６６は、平坦な対向面６６ａによって、内蔵光ファイバ６２の後側突出部６２ａと、該後側突出部６２ａの後端に突き合わせた挿入光ファイバ２先端の裸光ファイバ２ａとを調心溝６９ａに押し付けて後側延出片６５との間に把持固定する。これにより、挿入光ファイバ２の裸光ファイバ２ａ先端を内蔵光ファイバ６２後端に対して高い調心精度を以て突き合わせ接続した状態を保つことができる。
【０１３５】
クランプ部付きフェルール６０のクランプ部６３に挿入光ファイバ２を把持固定することで、光ファイバケーブル１端末への光コネクタ１０の組み立てが完了する。
【０１３６】
図１７、図２２に示すように、引き留めカバー４６は、後側ハウジング４０の固定部材受け部４３に押し込まれた固定部材付きケーブル端末１ａ上に配置される天板部４６ａの両側に細長板状のカバー側板部４６ｂを設けた構成のカバー本体４６Ｈを有している。天板部４６ａの両側のカバー側板部４６ｂは、天板部４６ａの片面４６ｃ側に天板部４６ａに対して垂直に突設され、前記片面４６ｃに沿う方向を長手方向として互いに平行に延在している。
【０１３７】
また、天板部４６ａの両側に設けられた一対のカバー側板部４６ｂは、その長手方向片端側が前記天板部４６ａから突出されている。
引き留めカバー４６は、一対のカバー側板部４６ｂの前記天板部４６ａから突出された先端部を、回動軸４１ｇ（図１７、図１８、図２２参照）によって、後側ハウジング４０にその左右方向（固定部材受け部４３の一対の側板部４３ｂの間隔方向）の回動軸線を以て回動可能に枢着してハウジング１００Ｈに設けられている。
【０１３８】
カバー側板部４６ｂの、回動軸４１ｇによって後側ハウジング４０に枢着された先端部を、以下、枢着端部とも言う。
図示例の結合ユニット部５０Ａにおいて、前記回動軸４１ｇは、後側ハウジング４０の左右方向両側、より具体的にはブロック部４２の左右方向両側に突起状に突設されている。引き留めカバー４６は、一対のカバー側板部４６ｂの枢着端部をその板厚方向に貫通して形成した軸挿入孔４６ｅに嵌め込まれた前記回動軸４１ｇを中心に、後側ハウジング４０にその左右方向の軸線（回動軸線）を以て回動可能に枢着されている。
【０１３９】
なお、引き留めカバー４６の後側ハウジング４０に対する枢着構造としては、図示例の構造に限定されない。前記枢着構造としては、例えば、一対のカバー側板部４６ｂの枢着端部の互いに対面する側に突設した軸部を、後側ハウジング４０のブロック部４２の左右両側に穿設した軸挿入穴に挿入し、引き留めカバー４６を、前記軸部を中心に、後側ハウジング４０にその左右方向の軸線（回動軸線）を以て回動可能に枢着した構成等も採用可能である。
【０１４０】
図１７、図１８、図２４（ａ）、（ｂ）に示すように、引き留めカバー４６は、回転軸４６ｄから延出するカバー本体４６Ｈの回転軸４６ｄとは反対側（以下、延出端側とも言う）に、前記後退規制片４６ｆを有する構成となっている。
この引き留めカバー４６は、その延出端側の端部が後側ハウジング４０の固定部材受け部４３から離隔して配置された状態から、前記回動軸４１ｇを中心とする回動によって、固定部材受け部４３にその上側から被せることができる。このときの引き留めカバー４６の固定部材受け部４３に対する位置を被せ位置（図１８実線、図２４（ａ）、（ｂ）仮想線参照）とも言う。
【０１４１】
後側ハウジング４０の固定部材受け部４３にその後側から固定部材付きケーブル端末１ａを押し込む作業は、引き留めカバー４６を、固定部材付きケーブル端末１ａの押し込み作業の障害になることを回避するべく、延出端側の端部が後側ハウジング４０の固定部材受け部４３から充分に離隔させ、固定部材受け部４３に対して開放した状態で行う。そして、引き留めカバー４６は、固定部材受け部４３に固定部材付きケーブル端末１ａを押し込んだ後、前記回動軸４１ｇを中心とする回動によって前記被せ位置に配置する。
【０１４２】
引き留めカバー４６は、固定部材受け部４３に対して被せ位置に配置したときに、天板部４６ａが固定部材受け部４３の底板部４３ａに沿う向きとなる。また、被せ位置に配置した引き留めカバー４６は、天板部４６ａの片面４６ｃ（以下、内面とも言う）側にリブ状に張り出す一対のカバー側板部４６ｂの間に、固定部材受け部４３の底板部４３ａから突出する一対の側板部４３ｂを収納する。
【０１４３】
図２４（ｂ）仮想線に示すように、被せ位置に配置した引き留めカバー４６は、その天板部４６ａの内面４６ｃが固定部材受け部４３の一対の側板部４３ｂの底板部４３ａとは反対側の端部（上端）に当接する。また、この引き留めカバー４６は、被せ位置に配置したときに、両側のカバー側板部４６ｂに形成されている係止用窓４６ｇに、固定部材受け部４３の一対の側板部４３ｂの外面（一対の側板部４３ｂの互いに対面する内面とは反対の面）側に突設された係止突起４３ｃが入り込んで固定部材受け部４３に対して被せ位置に係止される。これにより、引き留めカバー４６は、延出端側の端部が後側ハウジング４０の固定部材受け部４３から離隔する方向への回動が規制され、固定部材受け部４３に対して被せ位置にある状態が安定に保たれる。
【０１４４】
図１８実線、図２４（ａ）、（ｂ）仮想線に示すように、引き留めカバー４６は、前記被せ位置に配置したときに、後退規制片４６ｆを、後側ハウジング４０に対する前側移動限界位置にある引留用固定部材１２０の後側に配置して引留用固定部材１２０に当接させることができる。
引き留めカバー４６のカバー本体４６Ｈは、一対のカバー側板部４６ｂと天板部４６ａとによって構成されて断面コ字状で延在するコ字形カバー部４６ｄを有する。カバー本体４６Ｈの延出端側の端部はコ字形カバー部４６ｄによって構成されている。
【０１４５】
図示例の引き留めカバー４６において、後退規制片４６ｆは、カバー本体４６Ｈの延出端側の断面コ字形の端部の内周に沿って突設されたリブ状の突部であり、門形に形成されている。この後退規制片４６ｆは、引き留めカバー４６を被せ位置に配置したときに、引留用固定部材１２０から後方に延出する光ファイバケーブル１を避けて、固定部材受け部４３の左右方向に一致する引留用固定部材１２０の左右両側の壁部の後側に配置され当接される。この結果、引き留めカバー４６によって、固定部材付きケーブル端末１ａを光コネクタ１０に対して引き留めることができる。
なお、光ファイバケーブル１は、門形の後退規制片４６ｆの内側のケーブル挿通凹部４６ｋに通され、引き留めカバー４６から後側に延出した状態となる。
【０１４６】
後退規制片４６ｆとしては、カバー本体４６Ｈの延出端側の断面コ字形の端部の内周に沿う門形の形状に限定されない。後退規制片としては、例えば、カバー本体４６Ｈの一対のカバー側板部４６ｂの延出端側の端部の互いに対面する内面側のみに突設し、天板部４６ａからの突設を省略した構成等も採用可能である。
【０１４７】
なお、引留用固定部材１２０を結合ユニット部５０Ａに引き留めて前進限界位置に保持する引き留め手段としては、上述の引き留めカバーに限定されない。前記引き留め手段としては、例えば、後側ハウジング４０の固定部材受け部４３にその後側から押し込まれた固定部材付きケーブル端末１ａの引留用固定部材１２０に係合する弾性爪等も採用可能である。
【０１４８】
図２６〜図３０は、本発明の光接続用ユニットの一例を示す図であって、この光接続用ユニット１３０は、光コネクタ２１０と、光コネクタ２１０を収容可能、かつ取付壁１４０の取付け面１４０ａに設置可能な光コネクタ収容ケース１５０と、を備えている。
光コネクタ２１０は、通過口１４０ｂを通して取付け面１４０より奥側から配線された光ファイバケーブル１（光伝送体）の先端に組み立てられている。
【０１４９】
光コネクタ収容ケース１５０は、光コネクタ２１０を収容可能なベース部１５１と、ベース部１５１を覆うカバー部１５２とを有する。
ベース部１５１は、長板状の基板部１５３と、その側縁に形成された側板部１５４とを有する光コネクタ収容部１５５と、光コネクタ収容部１５５内の光コネクタ２１０の光ファイバケーブル１を導く導出部１５６とを有する。
導出部１５６は、間隔をおいて対向配置された一対の位置決め板１５６ａからなり、これら位置決め板１５６ａの間の空間に光ファイバケーブル１を通過させることができる。
位置決め板１５６ａの互いに対向する面には把持用突起１５６ｂが複数突設されている。把持用突起１５６ｂは、光ファイバケーブル１を挟み込んで光ファイバケーブル１を把持固定できる。
カバー部１５２は、長板状の天板部１５７と、その側縁に形成された側板部１５８と、これらの上端に形成された頂板部１５９とを有する。
光コネクタ収容ケース１５０の下端部には、挿入光コネクタ９０が挿入される開口部１６０が形成されている。
【０１５０】
図２６に示すように、光コネクタ収容ケース１５０は、光アウトレット１７０に並べて設置することができる。
【０１５１】
次に、本発明の光コネクタレセプタクルの第３実施形態について説明する。
図３１は、本発明の第３実施形態の光コネクタレセプタクル３１０（以下、単に光コネクタ３１０という）の構造を示す分解斜視図である。図３２および図３３は光コネクタ３１０の要部の斜視図である。図３４は光コネクタ３１０のコネクタ嵌合ハウジングの本体基板部２２３と蓋部２２２を示す側面図である。
【０１５２】
光コネクタ３１０は、角筒状のコネクタ嵌合ハウジング２２０と、コネクタ嵌合ハウジング２２０の後部に取り付けられた結合ユニット部５０（５０Ａ）とを有する。
光コネクタ３１０は、光ファイバケーブル１（光伝送体）の先端に組み立てられるものである。光コネクタ３１０と光ファイバケーブル１は、コネクタ付き光伝送体を構成する。
以下の説明において、図１、図１７等に示す光コネクタ１０、２１０との共通構成については、同じ符号を付してその説明を省略することがある。
【０１５３】
図３１〜図３３に示すように、コネクタ嵌合ハウジング２２０は、光コネクタ挿入穴２１１ａが前側に開口する角筒状の嵌合ハウジング本体２２１と、光コネクタ挿入穴２１１ａを開閉可能とされた蓋部２２２と、蓋部２２２をバネ２３８（付勢部材）と、を備えている。
【０１５４】
嵌合ハウジング本体２２１は、本体基板部２２３と、本体基板部２２３に取り付けられる本体カバー部２２４とを有する。
本体基板部２２３は、概略矩形の底板部２２５と、底板部２２５の両側縁に立設された挿入片２２７（挿入凸部、延出片）と、を備えている。
底板部２２５の前縁部２２５ａからやや後方寄りの位置には、蓋部２２２の回動軸２３７が配置される軸受部２２５ｂが形成されている。
【０１５５】
挿入片２２７は、長板状とされ、底板部２２５の後部の上面２２５ｇから上方に延出している。挿入片２２７は、底板部２２５の両側縁部２２５ｉに近い位置にそれぞれ形成されている。
挿入片２２７は、前側ハウジング３０の孔内面当接突部３１ａ、３１ｂの間に挿入される。
【０１５６】
本体カバー部２２４は、概略矩形の天板部２２８と、その両側縁から垂下する側板部２２９とを有する。
側板部２２９の前縁部２２９ｄは、下方に向かって徐々に前方寄りとなるように傾斜している。
【０１５７】
蓋部２２２は概略矩形に形成され、前縁部２２ｂに形成された回動軸２３７を中心とする回動によって、光コネクタ挿入穴２１１ａを閉止する閉止位置（図３２および図３４の実線参照）と、本体カバー部２２４内に向けて内方に回動して光コネクタ挿入穴２１１ａを開放した開放位置（図３４の仮想線参照）とを切り替え可能である。図３４に示す開放位置では、蓋部２２２は嵌合ハウジング本体２２１の軸線方向（軸方向）に平行である。図示例の開放位置と閉止位置との蓋部２２２の回動角の差は９０°未満である。
【０１５８】
図３４に示すように、バネ２３８は、基部２３８ａと、基部２３８ａから延出して底板部２２５の上面２２５ｇ上に配置される本体側延出部２３８ｂと、基部２３８ａから延出して蓋部２２２の裏面側（内面側）に配置される蓋部側延出部２３８ｃとを備えている。
バネ２３８は、自らの弾性力によって、蓋部２２２を開放位置（図３４の仮想線）から閉止位置（図３４の実線参照）に戻す方向に付勢する。
【０１５９】
図３５に示すように、挿入光コネクタ９０を光コネクタ挿入穴２１１ａに挿入すると、挿入光コネクタ９０によって蓋部２２２が押され、バネ２３８の弾性力に抗して蓋部２２２を内方に押し倒し、光コネクタ挿入穴２１１ａが開放されるとともに、挿入光コネクタ９０のフェルール９３が光コネクタ３１０のフェルール６１と突き合わせ接続される。
【０１６０】
図３６は、本発明の光アウトレットの一例である光アウトレット１８０の斜視図であり、図３７は、光アウトレット１８０の一部破断状態の斜視図である。
光アウトレット１８０は、光コネクタ３１０と、光コネクタ３１０を収容可能、かつ取付壁１４０の取付け面１４０ａに設置可能な外装体１９０と、を備えている。
光コネクタ３１０は、取付け面１４０より奥側から配線された光ファイバケーブル１（光伝送体）の先端に組み立てられている。
【０１６１】
外装体１９０は、光コネクタ３１０が設置されるベース部２０１と、ベース部２０１を覆うカバー部２０２とを有する。カバー部２０２は通過口１４０ｂも覆う。カバー部２０２には、挿入光コネクタ９０が挿入される開口部２０３が形成されている。
【符号の説明】
【０１６２】
１…光ファイバケーブル（光伝送体）、２…光ファイバ（挿入光ファイバ）（光伝送体）、７…光ファイバ（挿入光ファイバ）（光伝送体）、１０、２１０、３１０…光コネクタ（光コネクタレセプタクル）、１１ａ、２１１ａ…光コネクタ挿入穴（コネクタ穴）、２０、２２０…コネクタ嵌合ハウジング、２１，２２１…嵌合ハウジング本体（ハウジング本体）、２２、２２２…蓋部、２３、２２３…本体基板部、２４、２２４…本体カバー部、２５ｊ…挿入凸部（係合構造）、２７、２２７…挿入片（挿入凸部）（係合構造）、２８…天板部、２８ｇ・・・挿入凸部（係合構造）、２９…側板部、２９ｄ…側板部の前縁部、３０…前側ハウジング、３１…ベース部、３１ａ、３１ｂ・・・孔内面当接突部（係合構造）、３１ｃ…溝部（係合構造）、３５…プラグフレーム部、３７…回動軸（連結位置）、３８，２３８…バネ（付勢部材）、４０…後側ハウジング、４１…ストップリング（ストップリング部）、５０…結合ユニット部、５１…ユニット部ハウジング、５２…位置決めスリーブ（割スリーブ）、５５…ストップリング、５６…ストップリング、５７…内蔵フェルール（フェルール）、６０…クランプ部付きフェルール、６１…内蔵フェルール（フェルール、フェルール本体）、６３…クランプ部、９０…挿入光コネクタ、１３０…光接続用ユニット、１４０…取付壁、１４０ａ・・・取付け面、１５０…光コネクタ収容ケース、１６０…開口部、１８０…光アウトレット、１９０…外装体、２０３…開口部。
【図１】
0005512636.tif 000002
【図２】
0005512636.tif 000003
【図３】
0005512636.tif 000004
【図４】
0005512636.tif 000005
【図５】
0005512636.tif 000006
【図６】
0005512636.tif 000007
【図７】
0005512636.tif 000008
【図８】
0005512636.tif 000009
【図９】
0005512636.tif 000010
【図１０】
0005512636.tif 000011
【図１１】
0005512636.tif 000012
【図１２】
0005512636.tif 000013
【図１３】
0005512636.tif 000014
【図１４】
0005512636.tif 000015
【図１５】
0005512636.tif 000016
【図１６】
0005512636.tif 000017
【図１７】
0005512636.tif 000018
【図１８】
0005512636.tif 000019
【図１９】
0005512636.tif 000020
【図２０】
0005512636.tif 000021
【図２１】
0005512636.tif 000022
【図２２】
0005512636.tif 000023
【図２３】
0005512636.tif 000024
【図２４】
0005512636.tif 000025
【図２５】
0005512636.tif 000026
【図２６】
0005512636.tif 000027
【図２７】
0005512636.tif 000028
【図２８】
0005512636.tif 000029
【図２９】
0005512636.tif 000030
【図３０】
0005512636.tif 000031
【図３１】
0005512636.tif 000032
【図３２】
0005512636.tif 000033
【図３３】
0005512636.tif 000034
【図３４】
0005512636.tif 000035
【図３５】
0005512636.tif 000036
【図３６】
0005512636.tif 000037
【図３７】
0005512636.tif 000038
【図３８】
0005512636.tif 000039